(57)【要約】【課題】ビルの外壁に固定することができ、それによって空中における姿勢を安定させることができるとともに、各種工事にともなう作業を正確かつ確実に行うことができる作業用ゴンドラを提供する。【解決手段】作業用ゴンドラ１０Ａは、ゴンドラ１０Ａのビルの外壁に対向する前部１６に設置されてビルの外壁に吸着しつつゴンドラ１０Ａをビルの外壁に連結固定する吸着装置６３を有する。吸着装置６３は、ゴンドラ１０Ａの前部１６から前後方向へ延びる第１支持支柱３１と、ゴンドラ１０Ａの前部１６に設置されて幅方向へ延びる第２支持支柱３２と、第１支持支柱３１の先端部３３に取り付けられた真空グリッパー３４とから形成されている。【選択図】図１
2016211222.tif 000002
【特許請求の範囲】
【請求項１】
昇降装置を利用して建造物の外側に上下方向へ昇降可能に配置され、前記建造物に対する各種工事に使用される作業用ゴンドラにおいて、
前記作業用ゴンドラが、前記ゴンドラの前記建造物に対向する前部に設置されて該建造物の外面に吸着しつつ該ゴンドラを該建造物に連結する吸着装置を有することを特徴とする作業用ゴンドラ。
【請求項２】
前記吸着装置が、前記ゴンドラの前部から前後方向へ延びる第１支持支柱と、前記第１支持支柱の先端部に取り付けられた真空グリッパーとから形成され、前記真空グリッパーが、所定面積の吸着面を有するグリッパー筐体と、前記グリッパー筐体の吸着面に設置されて複数の吸着口を有するとともに柔軟性を有する所定面積かつ所定厚みのシーリングフォームまたは弾性変形可能な複数の真空パッドとから形成されている請求項１に記載の作業用ゴンドラ。
【請求項３】
前記真空グリッパーが、継手によって前記第１支持支柱の先端部に旋回可能に連結されている請求項２に記載の作業用ゴンドラ。
【請求項４】
前記吸着装置が、前記作業用ゴンドラの前部に設置されて幅方向へ延びる第２支持支柱を含み、前記第１支持支柱が、継手によって前記第２支持支柱に旋回可能かつ幅方向へスライド可能に連結されている請求項２または請求項３に記載の作業用ゴンドラ。
【請求項５】
前記第１支持支柱が、継手によって前記第２支持支柱に旋回可能かつ幅方向へスライド可能に連結された旋回ロッドと、前記旋回ロッドから前後方向へスライド可能な少なくとも１本のスライドロッドとから形成されている請求項２ないし請求項４いずれかに記載の作業用ゴンドラ。
【請求項６】
前記作業用ゴンドラが、その頂部と底部または中央部と両側部とのうちの少なくとも該底部または該中央部と該両側部とに設置され、前記前部から前後方向へ延びていて前記ゴンドラと前記建造物との間のスペースを塞ぐ伸縮可能なカバーシートを含み、前記カバーシートが、前記スペースの距離に応じて前後方向の長さ寸法を調節可能である請求項１ないし請求項５いずれかに記載の作業用ゴンドラ。
【請求項７】
前記作業用ゴンドラが、前記前部に設置されたフロントフレームを含み、前記フロントフレームが、前記ゴンドラの頂部に位置して幅方向へ延びる上ロッドと、前記ゴンドラの底部または中央部に位置して幅方向へ延びる下ロッドと、前記ゴンドラの両側部に位置して上下方向へ延びる両側ロッドとのうちの少なくとも下ロッドと両側ロッドとから形成され、前記カバーシートが、前記上下ロッドと前記両側ロッドとのうちの少なくとも下ロッドと両側ロッドとに設置されている請求項６に記載の作業用ゴンドラ。
【請求項８】
クッション性を有して前記建造物の外面に当接する所定面積かつ所定厚みの当接部材が、前記カバーシートの該建造物に対向する前端部に取り付けられている請求項６または請求項７に記載の作業用ゴンドラ。
【請求項９】
前記作業用ゴンドラが、前記上下ロッドの両側部と前記両側ロッドの上下部とのうちの少なくとも該両側ロッドの上下部から前後方向へ延びていて前記カバーシートを前後方向へ伸縮させるスライドレールを含み、前記スライドレールが、前記ロッドに固定された固定レールと、前記カバーシートに設置されて前記固定レールから前後方向へスライド可能な少なくとも１本の移動レールとから形成され、前記スライドレールには、前記移動レールを前後方向前方へ付勢するコイルバネが設置されている請求項７または請求項８に記載の作業用ゴンドラ。
【請求項１０】
前記作業用ゴンドラが、前後方向へ伸縮可能であって前記カバーシートの前端部の前記建造物への当接状態を維持する伸縮棒を含み、前記伸縮棒が、前記ゴンドラに設置された基端部と、前記カバーシートの前端部を押圧する先端部とを有し、前記上ロッドと前記両側ロッドとが交差する第１角部と、前記下ロッドと前記両側ロッドとが交差する第２角部と、前記両側ロッドの上下方向中央部とのうちの少なくとも１つから前後方向へ延びている請求項７ないし請求項９いずれかに記載の作業用ゴンドラ。
【請求項１１】
前記カバーシートが、前記スペースに位置して前後方向へ並ぶ複数の蛇腹枠と、それら蛇腹枠に取り付けられて前後方向へ伸縮可能な蛇腹シートとから形成され、前記蛇腹シートが、前記フロントフレームに固定された固定部と、前記固定部から前後方向前方へ延びていてそれら蛇腹枠の間において前後方向へ蛇腹折りされた伸縮部とを有し、前記当接部材が、前記蛇腹シートの伸縮部の前記建造物に対向する前端部分に取り付けられている請求項７ないし請求項１０いずれかに記載の作業用ゴンドラ。
【請求項１２】
前記作業用ゴンドラが、前記両側ロッドの間を幅方向へ延びるフロント手摺と、前記フロント手摺に設置されて前記スペースを塞ぐ落下防止プレートとを含み、前記落下防止プレートが、前記フロント手摺に旋回可能に設置された旋回プレートと、前記旋回プレートから前後方向へスライド可能な少なくとも１枚のスライドプレートとから形成され、前記落下防止プレートの使用時では、前記旋回プレートと前記スライドプレートとが前記フロント手摺から前記建造物に向かうにつれて上り勾配に傾斜する請求項７ないし請求項１１いずれかに記載の作業用ゴンドラ。
【請求項１３】
クッション性を有して前記建造物の外面に当接する所定面積の当接部材が、前記落下防止プレートの該建造物に対向する前端部に取り付けられている請求項１２に記載の作業用ゴンドラ。
【請求項１４】
前記作業用ゴンドラが、その頂部に開口する頂面開口とその両側部に開口する両側面開口と前記ゴンドラの建造物に非対向の後部に開口する後面開口とを包被するネットカバーを含む請求項１ないし請求項１３いずれかに記載の作業用ゴンドラ。
【発明の詳細な説明】
【技術分野】
【０００１】
本発明は、建造物の外側に上下方向へ昇降可能に配置され、建造物に対する各種工事に使用される作業用ゴンドラに関する。
【背景技術】
【０００２】
高所作業における安全な足場を確保するため、昇降装置（吊り具や吊りワイヤーロープ、巻き上げ機）によって建造物の屋上から上下方向へ昇降可能に吊り下げられる作業用ゴンドラが使用される。作業用ゴンドラでは、それに作業者が乗り、作業者がゴンドラ（作業ケージ）の前部（前面開口）から建造物とゴンドラとの間のスペースに手を伸ばし、作業者が建造物に対して各種の工事を行う。各種の工事には、超高層ビル工事、一般ビル工事、吹付塗装工事、外壁補修工事、外壁クリーニング工事、サッシ工事、ガラス工事、看板工事、コンクリートプレハブ工事、橋梁工事、ダム工事、高速道路工事等がある。
【０００３】
作業用ゴンドラの一例として、コンクリート建造物の外壁面にスリットを形成し、コンクリート建造物の耐震性を補強する耐震補強工事に使用される作業用ゴンドラ装置が開示されている（特許文献１参照）。特許文献１に開示の作業用ゴンドラ装置は、ベース板とベース板の上に組み立てられた躯体とを備え、ベース板または躯体のゴンドラ装置全体の重心に対してほぼ均等な位置に三つのウインチが固定されているとともに、ベース板または躯体にクレーンと制御ボックスとが固定され、クレーンが耐震補強用のスリットを形成するカッターを移動可能に保持し、三つのウインチを同期して動作させてゴンドラ装置を昇降させるウインチ制御部とカッターを制御するカッター制御部とが制御ボックスに設定されている。この作業用ゴンドラ装置のカッター制御部によって制御されるカッターは、ベース板の上に搭載された集塵機に接続されたカッターカバーでカッター刃を覆うことで粉塵を飛散させることなく建築物の壁面を切削する乾式のカッターである。
【先行技術文献】
【特許文献】
【０００４】
【特許文献１】特開２０１４−２０１９５９号公報
【発明の概要】
【発明が解決しようとする課題】
【０００５】
前記特許文献１に開示の作業用ゴンドラ装置は、それをコンクリート建造物の工事箇所の壁面に固定することができず、風やコンクリート建造物の壁面に対する各種作業の影響でゴンドラが不規則かつ不用意に揺動し、空中における姿勢を安定させることができない。作業用ゴンドラ装置は、所定の工事中に不規則かつ不用意に揺動するから、揺動した状態で作業員がコンクリート建造物の壁面に対して工事に伴う所定の作業を行わなければならず、各種工事にともなう作業を正確かつ確実に行うことができない。また、揺れの程度によっては安全な足場を確保することができず、作業に危険を伴う場合があり、安全に作業を進めることができない。さらに、設計どおりの正確な作業を行おうとする場合、作業員がゴンドラの揺れ動き（揺動）を作業の都度静止させ、または、他の作業員がゴンドラの静止状態を維持する操作を行う必要があり、工事にともなう作業に時間と手間とがかかり、工事を迅速かつ効率的に進めることができない。
【０００６】
本発明の目的は、建造物の外面に固定することができ、それによって空中における姿勢を安定させることができるとともに、各種工事にともなう作業を正確かつ確実に行うことができる作業用ゴンドラを提供することにある。本発明の他の目的は、作業を安全に進めることができ、工事を迅速かつ効率的に進めることができる作業用ゴンドラを提供することにある。
【課題を解決するための手段】
【０００７】
前記課題を解決するための本発明の前提は、昇降装置を利用して建造物の外側に上下方向へ昇降可能に配置され、建造物に対する各種工事に使用される作業用ゴンドラである。
【０００８】
前記前提における本発明の特徴は、作業用ゴンドラがゴンドラの建造物に対向する前部に設置されて建造物の外面に吸着しつつゴンドラを建造物に連結する吸着装置を有することにある。
【０００９】
本発明の一例としては、吸着装置が、ゴンドラの前部から前後方向へ延びる第１支持支柱と、第１支持支柱の先端部に取り付けられた真空グリッパーとから形成され、真空グリッパーが、所定面積の吸着面を有するグリッパー筐体と、グリッパー筐体の吸着面に設置されて複数の吸着口を有するとともに柔軟性を有する所定面積かつ所定厚みのシーリングフォームまたは弾性変形可能な複数の真空パッドとから形成されている。
【００１０】
本発明の他の一例としては、真空グリッパーが継手によって第１支持支柱の先端部に旋回可能に連結されている。
【００１１】
本発明の他の一例としては、吸着装置が作業用ゴンドラの前部に設置されて幅方向へ延びる第２支持支柱を含み、第１支持支柱が継手によって第２支持支柱に旋回可能かつ幅方向へスライド可能に連結されている。
【００１２】
本発明の他の一例としては、第１支持支柱が、継手によって第２支持支柱に旋回可能かつ幅方向へスライド可能に連結された旋回ロッドと、旋回ロッドから前後方向へスライド可能な少なくとも１本のスライドロッドとから形成されている。
【００１３】
本発明の他の一例としては、作業用ゴンドラが、その頂部と底部または中央部と両側部とのうちの少なくとも底部または中央部と両側部とに設置され、前部から前後方向へ延びていてゴンドラと建造物との間のスペースを塞ぐ伸縮可能なカバーシートを含み、カバーシートがスペースの距離に応じて前後方向の長さ寸法を調節可能である。
【００１４】
本発明の他の一例としては、作業用ゴンドラが前部に設置されたフロントフレームを含み、フロントフレームが、ゴンドラの頂部に位置して幅方向へ延びる上ロッドと、ゴンドラの底部または中央部に位置して幅方向へ延びる下ロッドと、ゴンドラの両側部に位置して上下方向へ延びる両側ロッドとのうちの少なくとも下ロッドと両側ロッドとから形成され、カバーシートが上下ロッドと両側ロッドとのうちの少なくとも下ロッドと両側ロッドとに設置されている。
【００１５】
本発明の他の一例としては、クッション性を有して建造物の外面に当接する所定面積かつ所定厚みの当接部材がカバーシートの建造物に対向する前端部に取り付けられている。
【００１６】
本発明の他の一例としては、作業用ゴンドラが上下ロッドの両側部と両側ロッドの上下部とのうちの少なくとも両側ロッドの上下部から前後方向へ延びていてカバーシートを前後方向へ伸縮させるスライドレールを含み、スライドレールが、ロッドに固定された固定レールと、カバーシートに設置されて固定レールから前後方向へスライド可能な少なくとも１本の移動レールとから形成され、スライドレールには、移動レールを前後方向前方へ付勢するコイルバネが設置されている。
【００１７】
本発明の他の一例としては、作業用ゴンドラが前後方向へ伸縮可能であってカバーシートの前端部の建造物への当接状態を維持する伸縮棒を含み、伸縮棒が、ゴンドラに設置された基端部と、カバーシートの前端部を押圧する先端部とを有し、上ロッドと両側ロッドとが交差する第１角部と、下ロッドと両側ロッドとが交差する第２角部と、両側ロッドの上下方向中央部とのうちの少なくとも１つから前後方向へ延びている。
【００１８】
本発明の他の一例としては、カバーシートが、スペースに位置して前後方向へ並ぶ複数の蛇腹枠と、それら蛇腹枠に取り付けられて前後方向へ伸縮可能な蛇腹シートとから形成され、蛇腹シートが、フロントフレームに固定された固定部と、固定部から前後方向前方へ延びていてそれら蛇腹枠の間において前後方向へ蛇腹折りされた伸縮部とを有し、当接部材が蛇腹シートの伸縮部の建造物に対向する前端部分に取り付けられている。
【００１９】
本発明の他の一例としては、作業用ゴンドラが、両側ロッドの間を幅方向へ延びるフロント手摺と、フロント手摺に設置されてスペースを塞ぐ落下防止プレートとを含み、落下防止プレートが、フロント手摺に旋回可能に設置された旋回プレートと、旋回プレートから前後方向へスライド可能な少なくとも１枚のスライドプレートとから形成され、落下防止プレートの使用時では、旋回プレートとスライドプレートとがフロント手摺から建造物に向かうにつれて上り勾配に傾斜する。
【００２０】
本発明の他の一例としては、クッション性を有して建造物の外面に当接する所定面積の当接部材が落下防止プレートの建造物に対向する前端部に取り付けられている。
【００２１】
本発明の他の一例としては、作業用ゴンドラがその頂部に開口する頂面開口とその両側部に開口する両側面開口とゴンドラの建造物に非対向の後部に開口する後面開口とを包被するネットカバーを含む。
【発明の効果】
【００２２】
本発明にかかる作業用ゴンドラによれば、建造物の外面に吸着する吸着装置によってゴンドラが建造物の外面に連結されるから、ゴンドラが揺動することはなく、空中においてゴンドラを静止させることができ、空中におけるゴンドラの姿勢を安定させることができる。作業用ゴンドラは、吸着装置によってゴンドラを静止させた状態で作業者が所定の作業を行うことができるから、各種工事にともなう作業を正確かつ確実に行うことができる。作業用ゴンドラは、それを使用した作業に危険が伴わず、作業を安全に進めることができるとともに、ゴンドラの揺動をその都度静止させる必要や作業者がゴンドラの静止状態を維持する操作を行う必要はなく、工事を迅速かつ効率的に進めることができる。
【００２３】
吸着装置がゴンドラの前部から前後方向へ延びる第１支持支柱と第１支持支柱の先端部に取り付けられた真空グリッパーとから形成され、真空グリッパーが所定面積の吸着面を有するグリッパー筐体とグリッパー筐体の吸着面に設置されて複数の吸着口を有するとともに柔軟性を有する所定面積かつ所定厚みのシーリングフォームまたは弾性変形可能な複数の真空パッドとから形成されている作業用ゴンドラは、建造物の外面に吸着する真空グリッパーによってゴンドラが建造物の外面に連結されるから、ゴンドラが揺動することはなく、空中においてゴンドラを静止させることができ、空中におけるゴンドラの姿勢を安定させることができる。作業用ゴンドラは、シーリングフォームの吸着口や複数の真空パッドが真空状態になり、真空グリッパーが強い吸着力を発揮し、真空グリッパーによってゴンドラを建造物の外面に確実に連結固定することができる。作業用ゴンドラは、建造物の外面が凹凸面であったとしても、所定面積かつ所定厚みの柔軟なシーリングフォームがその凹凸に追従してその厚みが変化するとともに、凹凸面に複数の吸着口が吸着するから、真空グリッパーが建造物の凹凸面に確実に吸着し、ゴンドラを建造物の凹凸面に確実に連結固定することができる。弾性変形可能な複数の真空パッドが真空グリッパーの吸着面に設置された作業用ゴンドラは、建造物の外面が凹凸面であったとしても、複数の真空パッドがその凹凸に追従して弾性変形し、凹凸面に複数の真空パッドが吸着するから、真空グリッパーが建造物の凹凸面に確実に吸着し、ゴンドラを建造物の凹凸面に確実に固定することができる。
【００２４】
真空グリッパーが継手によって第１支持支柱の先端部に旋回可能に連結されている作業用ゴンドラは、風や建造物に対する各種作業の影響でゴンドラがわずかに揺れ動いたとしても、その揺れ動きが継手に吸収され、ゴンドラの揺れ動きが真空グリッパーに伝達されることはなく、揺れ動きが真空グリッパーに伝達されることによるグリッパーの建造物の外面からの不用意な剥離を防ぐことができ、真空グリッパーの建造物の外面に対する吸着状態を維持することができるとともに、真空グリッパーによってゴンドラを建造物の外面に確実に連結固定することができる。作業用ゴンドラは、建造物の外面が傾斜面であったとしても、継手によって真空グリッパーを旋回させることで、真空グリッパーの吸着面を建造物の傾斜面に平行させることができるから、真空グリッパーの吸着面全域を建造物の傾斜面に吸着させることができ、真空グリッパーによってゴンドラを建造物の傾斜面に確実に連結固定することができる。
【００２５】
ゴンドラの前部に設置されて幅方向へ延びる第２支持支柱を含み、第１支持支柱が継手によって第２支持支柱に旋回可能かつ幅方向へスライド可能に連結されている作業用ゴンドラは、風や建造物の外面に対する各種作業の影響でゴンドラがわずかに揺れ動いたとしても、その揺れ動きが継手に吸収され、ゴンドラの揺れ動きが第１支持支柱や真空グリッパーに伝達されることはなく、揺れ動きが第１支持支柱から真空グリッパーに伝達されることによるグリッパーの建造物の外面からの不用意な剥離を防ぐことができ、真空グリッパーの建造物の外面に対する吸着状態を維持することができるとともに、真空グリッパーによってゴンドラを建造物の外面に確実に連結固定することができる。作業用ゴンドラは、第１支持支柱が２支持支柱に幅方向へスライド可能に連結されているから、第１支持支柱とともに真空グリッパーを２支持支柱の幅方向へ移動させつつ、真空グリッパーを建造物の外面の最適な箇所に吸着させることができ、真空グリッパーによってゴンドラを建造物の外面に確実に連結固定することができる。作業用ゴンドラは、建造物の外面が傾斜面であったとしても、継手によって第１支持支柱を旋回させることで、真空グリッパーの吸着面を建造物の傾斜面に平行させることができるから、真空グリッパーの吸着面全域を建造物の傾斜面に吸着させることができ、真空グリッパーによってゴンドラを建造物の傾斜面に確実に連結固定することができる。
【００２６】
第１支持支柱が継手によって第２支持支柱に旋回可能かつ幅方向へスライド可能に連結された旋回ロッドと旋回ロッドから前後方向へスライド可能な少なくとも１本のスライドロッドとから形成されている作業用ゴンドラは、風や建造物の外面に対する各種作業の影響でゴンドラがわずかに揺れ動いたとしても、その揺れ動きが継手に吸収され、ゴンドラの揺れ動きが旋回ロッドやスライドロッド、真空グリッパーに伝達されることはなく、揺れ動きがそれらロッドから真空グリッパーに伝達されることによるグリッパーの建造物の外面からの不用意な剥離を防ぐことができ、真空グリッパーの建造物の外面に対する吸着状態を維持することができるとともに、真空グリッパーによってゴンドラを建造物の外面に確実に連結固定することができる。作業用ゴンドラは、旋回ロッドが２支持支柱に幅方向へスライド可能に連結されているから、旋回ロッドとともに真空グリッパーを２支持支柱の幅方向へ移動させつつ、真空グリッパーを建造物の外面の最適な箇所に吸着させることができ、真空グリッパーによってゴンドラを建造物の外面に確実に連結固定することができる。作業用ゴンドラは、建造物の外面が傾斜面であったとしても、継手によって旋回ロッドを旋回させることで、真空グリッパーの吸着面を建造物の傾斜面に平行させることができるから、真空グリッパーの吸着面全域を建造物の傾斜面に吸着させることができ、真空グリッパーによってゴンドラを建造物の傾斜面に確実に連結固定することができる。
作業用ゴンドラは、スライドロッドが旋回ロッドから前後方向へスライド可能であり、旋回ロッドを前後方向へスライドさせることで、それらロッドの長さ寸法を長くしたり短くしたりすることができ、
【００２７】
ゴンドラの頂部と底部または中央部と両側部とのうちの少なくとも底部または中央部と両側部とに設置され、前部から前後方向へ延びていてゴンドラと建造物との間のスペースを塞ぐ伸縮可能なカバーシートを含み、カバーシートがスペースの距離に応じて前後方向の長さ寸法を調節可能な作業用ゴンドラは、建造物に対する各種工事中にコンクリートガラやモルタルガラ、タイルガラ等の固形廃棄物が発生する場合があるが、カバーシートによってゴンドラの少なくとも底部または中央部および両側部と建造物との間のスペースを塞ぐことができるから、工事中に発生したそれら固形廃棄物をカバーシートで捕集することができ、カバーシートによって廃棄物のゴンドラから四方への飛散やゴンドラからの廃棄物の落下を防ぐことができる。作業用ゴンドラは、各種工事中に発生した廃棄物のゴンドラから四方への飛散やゴンドラからの廃棄物の落下をカバーシートによって防ぐことができるから、工事中における建造物周辺の安全性を確保することができ、建造物周辺に防護ネットや仕切り板等の設置や警備員の配備等の各種の安全対策を施す必要はなく、安全対策にかかるコストや手間を省くことができ、建造物に対する各種工事を迅速かつ廉価に行うことができる。作業用ゴンドラは、スペースの距離に応じてカバーシートの前後方向の長さ寸法を調節することができるから、カバーシートの前後方向の長さ寸法をスペースの距離に合わせることができ、カバーシートによってスペースを確実に塞ぐことができるとともに、廃棄物のゴンドラから四方への飛散やゴンドラからの廃棄物の落下を確実に防ぐことができる。
【００２８】
ゴンドラの前部に設置されたフロントフレームを含み、フロントフレームがゴンドラの頂部に位置する上ロッドとゴンドラの底部または中央部に位置する下ロッドとゴンドラの両側部に位置する両側ロッドとのうちの少なくとも下ロッドと両側ロッドとから形成され、カバーシートが上下ロッドと両側ロッドとのうちの少なくとも下ロッドと両側ロッドとに設置されている作業用ゴンドラは、上下ロッドと両側ロッドとのうちの少なくとも下ロッドおよび両側ロッドから延びるカバーシートによってゴンドラの少なくとも底部または中央部および両側部と建造物との間のスペースを塞ぐことができるから、建造物に対する各種工事中に発生したコンクリートガラやモルタルガラ、タイルガラ等の固形廃棄物をカバーシートで捕集することができ、カバーシートによって廃棄物のゴンドラから四方への飛散やゴンドラからの廃棄物の落下を確実に防ぐことができる。
【００２９】
クッション性を有して建造物の外面に当接する所定面積かつ所定厚みの当接部材がカバーシートの建造物に対向する前端部に取り付けられている作業用ゴンドラは、カバーシートの前端部に取り付けられたクッション性を有する所定面積かつ所定厚みの当接部材が建造物の外面に当接密着することで、建造物とカバーシートの前端部との間に隙間が生じることはなく、カバーシートによってゴンドラと建造物との間のスペースを隙間なく塞ぐことができ、コンクリートガラやモルタルガラ、タイルガラ等の固形廃棄物のゴンドラから四方への飛散やゴンドラからの廃棄物の落下を確実に防ぐことができる。
【００３０】
上下ロッドの両側部と両側ロッドの上下部とのうちの少なくとも両側ロッドの上下部から前後方向へ延びていてカバーシートを前後方向へ伸縮させるスライドレールを含み、スライドレールがロッドに固定された固定レールとカバーシートに設置されて固定レールから前後方向へスライド可能な少なくとも１本の移動レールとから形成され、移動レールを前後方向前方へ付勢するコイルバネがスライドレールに設置されている作業用ゴンドラは、上下ロッドの両側部と両側ロッドの上下部とのうちの少なくとも両側ロッドの上下部から延びる移動レールを前後方向前方へスライドさせることで、カバーシートが前後方向前方へ伸長し、移動レールを前後方向後方へスライドさせることでカバーシートが前後方向後方へ縮むから、カバーシートを前後方向前方へ容易に伸長させることができるとともに前後方向後方に容易に縮めることができ、スライドレールとカバーシートとを利用してゴンドラと建造物との間のスペースを確実に塞ぐことができる。作業用ゴンドラは、スライドレールを利用してカバーシートの前後方向の長さ寸法を調節することができるから、カバーシートの前後方向の長さ寸法をスペースの距離に容易に合わせることができ、カバーシートによってスペースを確実に塞ぐことができるとともに、コンクリートガラやモルタルガラ、タイルガラ等の固形廃棄物のゴンドラから四方への飛散やゴンドラからの廃棄物の落下を確実に防ぐことができる。作業用ゴンドラは、コイルバネによって移動レールが前後方向前方へ付勢され、それによってカバーシートが前後方向前方へ押圧されて建造物の外面に当接密着するから、建造物とカバーシートの前端部との間に隙間が生じることはなく、カバーシートによってゴンドラと建造物との間のスペースを隙間なく塞ぐことができる。
【００３１】
前後方向へ伸縮可能であってカバーシートの前端部の建造物への当接状態を維持する伸縮棒を含み、伸縮棒がゴンドラに設置された基端部とカバーシートの前端部を押圧する先端部とを有し、伸縮棒が上ロッドと両側ロッドとが交差する第１角部、下ロッドと両側ロッドとが交差する第２角部、両側ロッドの上下方向中央部のうちの少なくとも１つから前後方向へ延びている作業用ゴンドラは、それら部の少なくとも１つから延びる伸縮棒の先端部がカバーシートの前端部を押圧することで、カバーシートの前端部の建造物の外面への当接密着状態が維持され、伸縮棒によってカバーシートの前端部が建造物に当接密着するから、建造物とカバーシートの前端部との間に隙間が生じることはなく、カバーシートによってゴンドラと建造物との間のスペースを隙間なく塞ぐことができ、コンクリートガラやモルタルガラ、タイルガラ等の固形廃棄物のゴンドラから四方への飛散やゴンドラからの廃棄物の落下を確実に防ぐことができる。
【００３２】
カバーシートが前後方向へ並ぶ複数の蛇腹枠とそれら蛇腹枠に取り付けられて前後方向へ伸縮可能な蛇腹シートとから形成され、蛇腹シートがフロントフレームに固定された固定部と固定部から前後方向前方へ延びていてそれら蛇腹枠の間において前後方向へ蛇腹折りに折り畳まれた伸縮部とを有し、当接部材が蛇腹シートの伸縮部の建造物に対向する前端部分に取り付けられている作業用ゴンドラは、蛇腹シートの蛇腹折りされた伸縮部がスペースにおいて前後方向へ伸縮し、蛇腹シートの伸縮部によってゴンドラの少なくとも底部および両側部と建造物との間のスペースを塞ぐことができるから、建造物に対する各種工事中に発生したコンクリートガラやモルタルガラ、タイルガラ等の固形廃棄物を蛇腹シートで捕集することができ、蛇腹シートによって廃棄物のゴンドラから四方への飛散やゴンドラからの廃棄物の落下を防ぐことができる。作業用ゴンドラは、各種工事中に発生した廃棄物のゴンドラから四方への飛散やゴンドラからの廃棄物の落下を蛇腹シートによって防ぐことができるから、工事中における建造物周辺の安全性を確保することができ、建造物周辺に防護ネットや仕切り板等の設置や警備員の配備等の各種の安全対策を施す必要はなく、安全対策にかかるコストや手間を省くことができ、建造物に対する各種工事を迅速かつ廉価に行うことができる。作業用ゴンドラは、スペースの距離に応じて蛇腹シートの伸縮部の前後方向の長さ寸法を調節することができるから、蛇腹シートの伸縮部の前後方向の長さ寸法をスペースの距離に合わせることができ、蛇腹シートの伸縮部によってスペースを隙間なく塞ぐことができるとともに、廃棄物のゴンドラから四方への飛散やゴンドラからの廃棄物の落下を確実に防ぐことができる。
【００３３】
両側ロッドの間を幅方向へ延びるフロント手摺とフロント手摺に設置されてスペースを塞ぐ落下防止プレートとを含み、落下防止プレートがフロント手摺に旋回可能に設置された旋回プレートと旋回プレートから前後方向へスライド可能な少なくとも１枚のスライドプレートとから形成され、落下防止プレートの使用時において、旋回プレートとスライドプレートとがフロント手摺から建造物に向かうにつれて上り勾配に傾斜する作業用ゴンドラは、旋回プレートに対してスライドプレートを前後方向へスライドさせることで、落下防止プレートを前後方向前方へ容易に伸長させることができるとともに前後方向後方に容易に縮めることができ、旋回プレートとスライドプレートとを利用してゴンドラのフロント手摺と建造物との間のスペースを隙間なく塞ぐことができるとともに、落下防止プレートを利用してコンクリートガラやモルタルガラ、タイルガラ等の固形廃棄物を落下防止プレートからゴンドラ内に確実に収容することができる。作業用ゴンドラは、落下防止プレートの使用時に旋回プレートとスライドプレートとがフロント手摺から建造物に向かって上り勾配に傾斜することで、建造物に対する各種工事中に発生したコンクリートガラやモルタルガラ、タイルガラ等の固形廃棄物が落下防止プレートの建造物の側からフロント手摺の側に向かって落下するから、廃棄物を落下防止プレートからゴンドラ内に確実に収容することができる。作業用ゴンドラは、落下防止プレートによって廃棄物のゴンドラから四方への飛散やゴンドラからの廃棄物の落下を防ぐことができるから、工事中における建造物周辺の安全性を確保することができ、建造物周辺に防護ネットや仕切り板等の設置や警備員の配備等の各種の安全対策を施す必要はなく、安全対策にかかるコストや手間を省くことができ、建造物に対する各種工事を迅速かつ廉価に行うことができる。作業用ゴンドラは、スペースの距離に応じて落下防止プレートの前後方向の長さ寸法を調節することができるから、落下防止プレートの前後方向の長さ寸法をスペースの距離に合わせることができ、フロント手摺と建造物との間に隙間が発生することはなく、落下防止プレートを利用して廃棄物をゴンドラ内に確実に収容することができる。
【００３４】
クッション性を有して建造物の外面に当接する所定面積の当接部材が落下防止プレートの建造物に対向する前端部に取り付けられている作業用ゴンドラは、落下防止プレートの前端部に取り付けられたクッション性を有する所定面積の当接部材が建造物に当接密着することで、建造物と落下防止プレートの前端部との間に隙間が生じることはなく、落下防止プレートによってゴンドラと建造物との間のスペースを隙間なく塞ぐことができ、建造物に対する各種工事中に発生したコンクリートガラやモルタルガラ、タイルガラ等の固形廃棄物を落下防止プレートからゴンドラ内に確実に収容することができるとともに、廃棄物のゴンドラから四方への飛散やゴンドラからの廃棄物の落下を確実に防ぐことができる。
【００３５】
頂部に開口する頂面開口と両側部に開口する両側面開口と後部に開口する後面開口とを包被するネットカバーを含む作業用ゴンドラは、ゴンドラの頂面開口と両側面開口と後面開口とがネットカバーによって包被されるから、建造物に対する各種工事中に発生したコンクリートガラやモルタルガラ、タイルガラ等の固形廃棄物が作業ケージの頂面開口や両側面開口、後面開口から飛散することはなく、ネットカバーによって廃棄物のゴンドラから四方への飛散やゴンドラからの廃棄物の落下を防ぐことができ、工事中における建造物周辺の安全を十分に確保することができる。
【図面の簡単な説明】
【００３６】
【図１】作業用ゴンドラの一例を示す斜視図。
【図２】作業用ゴンドラの正面図。
【図３】作業用ゴンドラの背面図。
【図４】一例として示す第１および第２支持支柱と真空グリッパーとの側面図。
【図５】図４の第１および第２支持支柱と真空グリッパーとの正面図。
【図６】他の一例として示す第１および第２支持支柱と真空グリッパーとの側面図。
【図７】図６の第１および第２支持支柱と真空グリッパーとの正面図。
【図８】ビルの外壁に連結される前の作業用ゴンドラの側面図。
【図９】ビルの外壁に連結された後の作業用ゴンドラの側面図。
【図１０】他の一例として示す作業用ゴンドラの斜視図。
【図１１】作業用ゴンドラの正面図。
【図１２】作業用ゴンドラの背面図。
【図１３】伸長させる前のカバーシート、スライドレール、伸縮棒の部分拡大側面図。
【図１４】伸長させた後のカバーシート、スライドレール、伸縮棒の部分拡大側面図。
【図１５】伸長させる前の落下防止プレートの部分拡大斜視図。
【図１６】伸長させた後の落下防止プレートの部分拡大斜視図。
【図１７】ビルの外壁に連結される前の作業用ゴンドラの側面図。
【図１８】ビルの外壁に連結された後の作業用ゴンドラの側面図。
【図１９】他の一例として示す作業用ゴンドラの斜視図。
【図２０】作業用ゴンドラの正面図。
【図２１】作業用ゴンドラの背面図。
【図２２】ビルの外壁に連結された後の作業用ゴンドラの側面図。
【発明を実施するための形態】
【００３７】
作業用ゴンドラ１０Ａの一例を示す斜視図である図１等の添付の図面を参照し、本発明にかかる作業用ゴンドラの詳細を説明すると、以下のとおりである。なお、図２は、作業用ゴンドラ１０Ａの正面図であり、図３は、作業用ゴンドラ１０Ａの背面図である。図４は、一例として示す第１および第２支持支柱と真空グリッパーとの側面図であり、図５は、図４の第１および第２支持支柱と真空グリッパーとの正面図である。図６は、他の一例として示す第１および第２支持支柱と真空グリッパーとの側面図であり、図７は、図６の第１および第２支持支柱と真空グリッパーとの正面図である。
【００３８】
図１では、ネットカバーの図示を一部省略している。図１〜図３では、真空ホース８９の図示を省略している。図４，５では、真空グリッパーの吸着面にシーリングフォームが取り付けられ、図６，７では、真空グリッパーの吸着面に複数の真空パッドが取り付けられている。図１では、上下方向を矢印Ａで示し、幅方向の矢印Ｂで示すとともに、前後方向を矢印Ｃで示す。図４，６では、前後方向前方を矢印Ｃ１で示し、前後方向後方を矢印Ｃ２で示す。作業用ゴンドラ１０Ａ（ゴンドラ１０Ｂ，１０Ｃを含む）では、建造物とし
てビル１１を例として説明する。なお、建造物には、ビル１１の他に、橋梁やダム、高速道路等がある。
【００３９】
作業用ゴンドラ１０Ａは、ビル１１（建造物）に対する各種工事を行う場合において、高所作業における安全な足場を確保するために使用される。作業用ゴンドラ１０Ａは、ビル１１の外壁１２の外側に配置され、昇降装置によってビル１１の屋上から上下方向へ昇降可能に吊り下げられる。作業用ゴンドラ１０Ａでは、それに作業者が乗り、作業者がゴンドラ１０Ａの前部（前面開口）からビル１１の外壁１２とゴンドラ１０Ａとの間のスペース１３に手を伸ばし、ビル１１に対して各種の工事を行う。建造物に対する各種の工事には、超高層ビル工事、一般ビル工事、吹付塗装工事、外壁補修工事、クリーニング工事、サッシ工事、ガラス工事、看板工事、コンクリートプレハブ工事、橋梁工事、ダム工事、高速道路工事等がある。
【００４０】
昇降装置の一例としては、ビルの屋上に着脱可能に設置された吊り具（図示せず）と、吊り具から地上に向かって延びる２本の吊りワイヤーロープ１４と、それら吊りワイヤーロープ１４を巻き上げるエンドレスワインダー方式の２つの巻上機１５とから形成されている。吊り具には、自在フック式やＵ型フック式、傾斜突りょう型、バランスアーム型、レール・台車型等の現在知られているあらゆる吊り具を使用することができる。巻上機１５には、ビル１１の屋上に設置したドラムを利用して吊りワイヤーロープを巻き上げるドラム方式を使用することもできる。
【００４１】
作業用ゴンドラ１０Ａは、幅方向へ長い略長方形の外観形状を有し、ビル１１の外壁１２に対向する前部１６と、前部１６の反対側に位置してビル１１の外壁１２に非対向の後部１７と、ビル１１の屋上側に位置する頂部１８と、地上側に位置する底部１９と、頂部１８および底部１９の間に位置する中央部２０と、両側部２１とを有する。ゴンドラ１０Ａは、底部１９に設置されて幅方向へ長い所定面積の床材２２と、床材２２を支持する底フレーム２３（床材支持板）と、床材２１の上方（ゴンドラ１０Ａの中央部２０）に位置して幅方向へ延びるフロント手摺２４（前手摺）（角柱パイプ）およびリア手摺２５（後手摺）（角柱パイプ）と、底フレーム２３やフロント手摺２４、リア手摺２５に連結されて上下方向や幅方向、前後方向へ延びる複数本の補強支柱２６（角柱パイプ）とから作られている。
【００４２】
床材２２は、木板や鋼材、鉄、アルミ、真鍮、合金等の金属板から作られ、または、木板の外周面を金属で被覆した複合材から作られている。床材２２は、底フレーム２３に載置固定されている。底フレーム２３やフロント手摺２４、リア手摺２５、補強支柱２６は、鋼材や鉄、アルミ、真鍮、合金等の金属から作られている。底フレーム２３やフロント手摺２４、リア手摺２５、補強支柱２６は、溶接によって連結されている。ゴンドラ１０Ａには、床材２２や底フレーム２３、フロント手摺２４、リア手摺２５、補強支柱２６に囲繞された作業空間が画成されている。なお、作業用ゴンドラ１０Ａの形状は図示のそれに限定されず、あらゆる形状のゴンドラを使用することができる。
【００４３】
底フレーム２３の各角部の下方には、キャスター２７が取り付けられている。ゴンドラ１０Ａの両側部２１における床材２２には、吊りワイヤーロープ１４がつながる巻上機１５が設置固定され、ゴンドラ１０Ａの一方の側部２１における床材２２には、ゴンドラ用制御盤２８が載置固定されている。ゴンドラ用制御盤２８にはビル１１の屋上から垂下する電源ケーブル２９が接続され、制御盤２８から電源ケーブル（図示せず）によって各巻上機１５に電力が供給される。補強支柱２６には、ケーブルを介してゴンドラ用制御盤２８につながるペンダントスイッチ３０が掛けられている。前部１６には、ビル１１の外壁１２に吸着しつつゴンドラ１０Ａをビル１１に連結（固定）する（ゴンドラ１０Ａを空中で静止させる）吸着装置６３（吸着手段）が設置されている。
【００４４】
吸着装置６３は、ゴンドラ１０Ａの前部１６から前後方向へ延びる２本の第１支持支柱３１（角柱パイプ）と、ゴンドラ１０Ａの前部１６に設置されて幅方向へ延びる１本の第２支持支柱３２（角柱パイプ）と、第１支持支柱３２の先端部３３に取り付けられた２台の真空グリッパー３４と、それら真空グリッパー３４に接続された真空ポンプ３５とから形成されている。なお、真空グリッパー３４の台数に制限はなく、ゴンドラ１０Ａの大きさ（幅寸法や上下寸法）によってゴンドラ１０Ａに１台の真空グリッパー３４または３台以上の真空グリッパー３４が設置される場合がある。
【００４５】
第１および第２支持支柱３１，３２は、鋼材や鉄、アルミ、真鍮、合金等の金属から作られている。第１支持支柱３１は、旋回ロッド３６と、旋回ロッド３６から前後方向へスライド可能なスライドロッド３７とから形成されている。第２支持支柱３２は、連結金具（図示せず）によって床材２１とフロント手摺２４との間に延びる補強支柱２６に着脱可能に連結されている。それら第１支持支柱３１は、旋回ロッド３６の基端部３８が継手３９（ユニバーサルジョイントやボールソケット継手等）によって第２支持支柱３２に着脱可能に設置され、第２支持支柱３２に対して上下方向や幅方向へ旋回可能かつ幅方向へスライド可能に連結されている。
【００４６】
第１支持支柱３１は、旋回ロッド３６を幅方向へスライド（移動）させた後、旋回ロッド３６の基端部３８を継手３９によって第２支持支柱３２に固定することで、第２支持支柱３２に対する幅方向の設置位置を決めることができる。第１支持支柱３１の旋回ロッド３６は、第２支持支柱３２に固定された後であっても継手３９によって第２支持支柱３２に対して上下方向と幅方向とへ旋回する。第１支持支柱３１は、スライドロッド３７を旋回ロッド３６の所定の位置で固定し、スライドロッド３７のスライド（伸縮）を不能にするスライドストッパー（スライド固定機構）（図示せず）を備えている。
【００４７】
第１支持支柱３１では、スライドロッド３７を前後方向前方へスライドさせることで、第１支持支柱３１を前後方向前方へ伸長させることができ、第１支持支柱３１の前後方向の長さ寸法を長くすることができる。逆に、スライドロッド３７を前後方向後方へスライドさせることで、第１支持支柱３１を前後方向後方へ縮めることができ、第１支持支柱３１の前後方向の長さ寸法を短くすることができる。
【００４８】
スライドロッド３７を前後方向前方へスライドさせた後、スライドストッパー（スライド固定機構）によってスライドロッド３７を旋回ロッド３６に固定することで、第１支持支柱３１が前後方向前方へ伸長した状態を維持することができ、スライドロッド３７を前後方向後方へスライドさせた後、スライドストッパー（スライド固定機構）によってスライドロッド３７を旋回ロッド３６に固定することで、第１支持支柱３１が前後方向後方へ縮んだ状態を維持することができる。スライドロッド３７を利用して第１支持支柱３１を前後方向へ伸縮させることで、第１支持支柱３１の長さ寸法をスペース１３の距離に応じて調節することができる。
【００４９】
真空グリッパー３４は、アルミから作られた角柱状のグリッパー筐体４０と、柔軟性を有する所定面積かつ所定厚みのシーリングフォーム４１（シーリングスポンジ）または弾性変形可能な複数の真空パッド４２（吸着パッド）とから形成されている。グリッパー筐体４０は、所定面積の四角形の吸着面４３を有する。真空グリッパー３４は、グリッパー筐体４０の後面（後部）が継手４４（ユニバーサルジョイント、ボールソケット継手等）によってスライドロッド３７（第１支持支柱３１）の先端部（先端部３３）に上下方向や幅方向へ旋回可能に連結されている。
【００５０】
なお、第１支持支柱３１の旋回ロッド３６が第２支持支柱３２に対して上下方向や幅方向へ旋回可能に連結され、真空グリッパー３４のグリッパー筐体４０の後面（後部）がスライドロッド３７（第１支持支柱３１）の先端部（先端部３３）に旋回不能に固定されていてもよい。または、第１支持支柱３１の旋回ロッド３６が第２支持支柱３２に対して上下方向や幅方向へ旋回不能に固定され、真空グリッパー３４のグリッパー筐体４０の後面（後部）がスライドロッド３７（第１支持支柱３１）の先端部（先端部３３）に上下方向や幅方向へ旋回可能に連結されていてもよい。
【００５１】
真空グリッパー３４としては、グリッパー筐体４０に真空発生装置が内蔵されておらず、真空発生装置（真空ポンプ３５または真空ブロア）に接続する接続タイプ、または、グリッパー筐体４０に真空発生装置が内蔵されている内蔵タイプがある。図１のゴンドラ１０Ａでは、接続タイプの真空グリッパー３４が使用されており、真空ポンプ３５が床材２１に載置固定されている。接続タイプの真空グリッパー３４では、グリッパー筐体４０の真空発生装置接続口（図示せず）と真空ポンプ３５（または真空ブロア）とが真空ホース８９によって接続される。真空ポンプ３５には、制御盤２８から電源ケーブル（図示せず）によって電力が供給される。真空グリッパー３４（真空ポンプ３５）のＯＮ，ＯＦＦは、ペンダントスイッチ３０によって行われる。
【００５２】
なお、ゴンドラ１０Ａでは、内蔵タイプの真空グリッパー３４を使用することもできる。内蔵タイプの真空グリッパー３４では、圧縮空気を給気することで使用可能となる。内蔵タイプの真空グリッパー３４を使用する場合、圧縮空気発生装置（エアーコンプレッサー）が床材２２に載置固定され、グリッパー筐体４０と圧縮空気発生装置（エアーコンプレッサー）とがエアーホース（図示せず）によって接続される。圧縮空気発生装置（エアーコンプレッサー）には、制御盤２８から電源ケーブル（図示せず）によって電力が供給される。内蔵タイプの真空グリッパー３４（圧縮空気発生装置）のＯＮ，ＯＦＦは、ペンダントスイッチ３０によって行われる。
【００５３】
シーリングフォーム４１は、グリッパー筐体４０の吸着面４３と略同形の四角形に成形され、複数の吸着穴４５を有し、グリッパー筐体４０の吸着面４３に着脱可能に取り付けられている。グリッパー筐体４０の吸着面４３にシーリングフォーム４１が取り付けられた場合、図５に示すように、真空グリッパー３４には、吸着面４３に存在しつつシーリングフォーム４１の吸着穴４５に対応した複数の吸着口４６が形成される。グリッパー筐体４０の吸着面４３にシーリングフォーム４１が取り付けられた真空グリッパー３４は、真空ポンプ３５を稼働（内蔵タイプでは圧縮空気を圧縮空気発生装置に給気）させると、ポンプ３５（または圧縮空気発生装置）によってそれら吸着口４６が真空状態になり、シーリングフォーム４１（吸着面４３）をビル１１の外壁１２に当接させることで、真空グリッパー３４のそれら吸着口４３が外壁１２に吸い付き、真空グリッパー３４が外壁１２の外面に吸着する。
【００５４】
外壁１２に平坦面のみならず凹面や凸面があった場合、それら吸着口４３のうちの外壁１２の平坦面に位置する吸着口４３が平坦面に吸い付き、外壁１２の凹面や凸面ではシーリングフォーム４１が伸縮（変形）して外壁１２の凹面や凸面の形状に追従しつつ、凹面や凸面に位置する吸着口４３が凹面や凸面に吸い付く。したがって、シーリングフォーム４１が取り付けられた真空グリッパー３４は、外壁１２に凹面や凸面があったとしても、グリッパー３４が外壁１２の外面にしっかりと吸着する。真空グリッパー３４が外壁１２の外面に吸着することで、作業用ゴンドラ１０Ａが吸着装置６３を介してビル１２の外壁１１に連結固定される。
【００５５】
シーリングフォーム４１が取り付けられた真空グリッパー３４において、継手３９によって第１支持支柱３１の旋回ロッド３６が第２支持支柱３２に対して上下方向や幅方向へ旋回可能であり、継手４４によってグリッパー筐体４０がスライドロッド３７（第１支持支柱３１）の先端部３４に対して上下方向や幅方向へ旋回可能である場合（第１支持支柱３１の旋回ロッド３６が第２支持支柱３２に対して上下方向や幅方向へ旋回可能に連結され、グリッパー筐体４０がスライドロッド３７（第１支持支柱３１）の先端部（先端部３３）に旋回不能に固定されている場合、または、第１支持支柱３１の旋回ロッド３６が第２支持支柱３２に対して上下方向や幅方向へ旋回不能に固定され、真空グリッパー３４のグリッパー筐体４０の後面（後部）がスライドロッド３７（第１支持支柱３１）の先端部（先端部３３）に上下方向や幅方向へ旋回可能に連結されている場合を含む。）、空中に吊り下げられた作業用ゴンドラ１０Ａが風の影響や作業の影響によって揺れ動いた（揺動した）としても、その揺れが継手３９や継手４４によって吸収されるから、揺れが真空グリッパー３４に直接作用することがなく、揺れがグリッパー３４に作用することによるグリッパー３４の吸着面４３（シーリングフォーム４１の吸着穴４５）のビル１１の外壁１２からの不用意な剥離を防ぐことができる。
【００５６】
シーリングフォーム４１が取り付けられた真空グリッパー３４において、グリッパー３４を外壁１２に吸着させた後、第１支持支柱３１の旋回ロッド３６を固定金具（図示せず）によって第２支持支柱に旋回不能に固定し、旋回ロッド３６を旋回不能な固定ロッドとし、グリッパー筐体４０を固定金具（図示せず）によってスライドロッド３７（第１支持支柱３１）の先端部（先端部３３）に旋回不能に固定する場合がある。この場合、真空グリッパー３４の吸着力（吸引力）を強くしてグリッパー３４の吸着面４３（シーリングフォーム４１の吸着穴４５）をビル１１の外壁１２に強力に吸着させることにより、作業用ゴンドラ１０Ａが吸着装置６３によって外壁１２に搖動不能に連結されるから、風の影響や作業の影響があったとしても、ゴンドラ１０Ａが揺れ動くことはなく、ゴンドラ１０Ａの空中における静止状態が保持される。
【００５７】
それら真空パッド４２は、ゴム素材から作られ、グリッパー筐体４０の吸着面４３に対して前後左右に伸縮（弾性変形）する。真空パッド４２は、グリッパー筐体４０の吸着面４３に着脱可能に取り付けられている。グリッパー筐体４０の吸着面４３に複数の真空パッド４２が設置された場合、図７に示すように、真空グリッパー３４には、それら真空パッド４３によって吸着面４３に存在する複数の吸着口４６が形成される。グリッパー筐体４０の吸着面４３に複数の真空パッド４２が取り付けられた真空グリッパー３４は、真空ポンプ３５を稼働（内蔵タイプでは圧縮空気を圧縮空気発生装置に給気）させると、ポンプ３５（または圧縮空気発生装置）によってそれら真空パッド４２が真空状態になり、真空パッド４２（吸着面４３）をビル１１の外壁１２に当接させることで、それら真空パッド４２（吸着口４６）が外壁１２に吸い付き、真空グリッパー３４が外壁１２の外面に吸着する。
【００５８】
外壁１２に平坦面のみならず凹面や凸面があった場合、それら真空パッド４２のうちの外壁１２の平坦面に位置する真空パッド４２が平坦面に吸い付き、外壁１２の凹面や凸面ではそれら真空パッド４２が前後左右に伸縮（弾性変形）して外壁１２の凹面や凸面の形状に追従しつつ、凹面や凸面に位置する真空パッド４２が凹面や凸面に吸い付く。したがって、複数の真空パッド４２が取り付けられた真空グリッパー３４は、外壁１２に凹面や凸面があったとしても、それが外壁１２の外面にしっかりと吸着する。真空グリッパー３４（複数の真空パッド４２）が外壁１２の外面に吸着することで、作業用ゴンドラ１０Ａが吸着装置６３を介してビル１１の外壁１２に連結固定される。
【００５９】
真空パッド４２が取り付けられた真空グリッパー３４は、継手３９によって第１支持支柱３１の旋回ロッド３６が第２支持支柱３２に対して上下方向や幅方向へ旋回可能であり、継手４４によってグリッパー筐体４０がスライドロッド３７（第１支持支柱３１）の先端部（先端部３３）に対して上下方向や幅方向へ旋回可能である場合（第１支持支柱３１の旋回ロッド３６が第２支持支柱３２に対して上下方向や幅方向へ旋回可能に連結され、グリッパー筐体４０がスライドロッド３７（第１支持支柱３１）の先端部（先端部３３）に旋回不能に固定されている場合、または、第１支持支柱３１の旋回ロッド３６が第２支持支柱３２に対して上下方向や幅方向へ旋回不能に固定され、真空グリッパー３４のグリッパー筐体４０の後面（後部）がスライドロッド３７（第１支持支柱３１）の先端部（先端部３３）に上下方向や幅方向へ旋回可能に連結されている場合を含む。）、空中に吊り下げられた作業用ゴンドラ１０Ａが風の影響や作業の影響によって揺れ動いた（揺動した）としても、その揺れが継手３９や継手４４によって吸収されるから、揺れが真空グリッパー３４に直接作用することがなく、揺れがグリッパー３４に作用することによるグリッパー３４の吸着面４３のビル１１の外壁１２からの不用意な剥離を防ぐことができる。
【００６０】
真空パッド４２が取り付けられた真空グリッパー３４において、グリッパー３４を外壁１２に吸着させた後、第１支持支柱３１の旋回ロッド３６を固定金具（図示せず）によって第２支持支柱３２に旋回不能に固定し、旋回ロッド３６を旋回不能な固定ロッドとし、グリッパー筐体４０を固定金具（図示せず）によってスライドロッド３７（第１支持支柱３１）の先端部（先端部３３）に旋回不能に固定する場合がある。この場合、真空グリッパー３４の吸着力（吸引力）を強くしてグリッパー３４の吸着面４３（真空パッド４２）をビル１１の外壁１２に強力に吸着させることにより、作業用ゴンドラ１０Ａが吸着装置６３によってビル１１の外壁１２に搖動不能に連結されるから、風の影響や作業の影響があったとしても、ゴンドラ１０Ａが揺れ動くことはなく、作業用ゴンドラ１０Ａの空中における静止状態が保持される。
【００６１】
図８は、ビル１１の外壁１２に連結される前の作業用ゴンドラ１０Ａの側面図であり、図９は、ビル１１の外壁１２に連結された後の作業用ゴンドラ１０Ａの側面図である。図８は、真空グリッパー３４をビル１１の外壁１２に吸着させる以前の状態を示し、図９は、真空グリッパー３４をビル１１の外壁１２に吸着させた後の状態を示す。図８，９では、真空ホース９０の図示を省略している。図８，９では、ビル１１の屋上から地上に向かってネットカバー４７が掛けられ、ゴンドラ１０Ａがネットカバー４７とビル１１との間に配置されている。ネットカバー４７は、合成樹脂から作られた網ネットであり、ビル１１の外壁１２に対する工事によって発生したコンクリートガラやモルタルガラ、タイルガラ等の固形廃棄物の周囲への飛散を防止する。
【００６２】
作業用ゴンドラ１０Ａを使用してビルの外壁に対する各種工事を行う手順の一例は、以下のとおりである。なお、第２支持支柱３２が連結金具によって既に補強支柱２６に固定されているものとする。図８に示すように、ゴンドラ１０Ａが昇降装置（吊り具、吊りワイヤーロープ１４、巻上機１５）によってビル１１の屋上から吊り下げられ、作業員（図示せず）が工事の準備をするものとする。地上に下降したゴンドラ１０Ａに作業員が乗り込み、ペンダントスイッチ３０の上昇ボタンを押す（上昇ＯＮ）と、巻上機１５が起動し、ゴンドラ１０Ａが地上からビル１１の屋上に向かって次第に上昇する。
【００６３】
作業用ゴンドラ１０Ａをビル１１の外壁１２の工事箇所まで上昇させた後、ペンダントスイッチ３０の停止ボタンを押してゴンドラ１０Ａを停止させる。次に、第１支持支柱３１の旋回ロッド３６を第２支持支柱３２の幅方向へ移動させて第２支持支柱３２に対する第１支持支柱３１の位置を決めた後、第１支持支柱３１の旋回ロッド３６を第２支持支柱３２に固定する。第１支持支柱３１の旋回ロッド３６を第２支持支柱３２に固定した後、真空グリッパー３４の吸着口４６（シーリングフォーム４１または真空パッド４２）がビル１１の外壁１２に当接するまで、スライドロッド３７を旋回ロッド３６から前後方向前方へスライドさせて第１支持支柱３１を伸長させる。真空グリッパー３４の吸着口４６（シーリングフォーム４１または真空パッド４２）を外壁１２に当接させた位置でスライドストッパー（スライド固定機構）によってスライドロッド３７を旋回ロッド３６に固定し、第１支持支柱３１の長さ寸法をスペース１３の前後方向の距離に合わせる。
【００６４】
第１支持支柱３１の長さ寸法をスペース１３の距離に合わせた後、ペンダントスイッチ３０の吸着開始ボタンを押す（吸着ＯＮ）。吸着開始ボタンを押すと、真空ポンプ３５が起動（内蔵タイプでは圧縮空気を圧縮空気発生装置に給気）し、ポンプ３５（または圧縮空気発生装置）によって真空グリッパー３４の吸着口４６（シーリングフォーム４１の吸着穴４６または真空パッド４２）が真空状態になり、グリッパー３４の吸着面４６がビル１１の外壁１２に吸着し、吸着装置６３によってゴンドラ１０Ａが外壁１２に連結（固定）される。
【００６５】
なお、吸着装置６３によってゴンドラ１０Ａがビル１１の外壁１２に連結固定された後、または、吸着装置６３によってゴンドラ１０Ａがビル１１の外壁１２に連結される前に、第１支持支柱３１を第２支持支柱３２に旋回不能に固定し、真空グリッパー３４のグリッパー筐体４０をスライドロッド３７に旋回不能に固定する場合がある。吸着装置６３によってゴンドラ１０Ａがビル１１の外壁１２に連結固定される前に第１支持支柱３１を第２支持支柱３２に固定し、真空グリッパー３４のグリッパー筐体４０をスライドロッド３７に固定する場合は、外壁１２が垂直な垂直面である場合、または、外壁１２が傾斜した傾斜面である場合、継手３９を利用して第２支持支柱３２に対して第１支持支柱３１を旋回させるとともに、継手４４を利用してグリッパー筐体４０をスライドロッド３７に対して旋回させ、真空グリッパー３４の吸着面４３をビル１１の外壁１２の垂直面や傾斜面に平行させた後、第１支持支柱３１を第２支持支柱３２に旋回不能に固定し、真空グリッパー３４のグリッパー筐体４０をスライドロッド３７に旋回不能に固定する。
【００６６】
グリッパー筐体４０がスライドロッド３７の先端部に旋回不能に固定されている場合は、継手３９を利用して第２支持支柱３２に対して第１支持支柱３１を旋回させ、真空グリッパー３４の吸着面４３をビル１１の外壁１２の垂直面や傾斜面に平行させた後、第１支持支柱３１を第２支持支柱３２に旋回不能に固定する。また、第１支持支柱３１が第２支持支柱３２に旋回不能に固定されている場合は、継手４４を利用してスライドロッド３７に対してグリッパー筐体４０を旋回させ、真空グリッパー３４の吸着面４３をビル１１の外壁１２の垂直面や傾斜面に平行させた後、グリッパー筐体４０をスライドロッド３７に旋回不能に固定する。
【００６７】
吸着装置６３によってゴンドラ１０Ａがビル１１の外壁１２に連結固定された後、または、吸着装置６３によってゴンドラ１０Ａがビル１１の外壁１２に連結される前に、第１支持支柱３１を第２支持支柱３２に旋回不能に固定せず、継手３９によって第２支持支柱３２に対して第１支持支柱３１を旋回可能にし、継手４４によって真空グリッパー３４のグリッパー筐体４０をスライドロッド３７に対して旋回可能にする場合がある。この場合、外壁１２が垂直な垂直面である場合、または、外壁１２が傾斜した傾斜面である場合、継手３９によって第１支持支柱３１が第２支持支柱３２に対して旋回するとともに、継手４４によってグリッパー筐体４０がスライドロッド３７に対して旋回することで、真空グリッパー３４の吸着面４３の外壁１２の垂直面や傾斜面に対する平行状態が保持される。
【００６８】
グリッパー筐体４０がスライドロッド３７の先端部に旋回不能に固定されている場合は、継手３９によって第１支持支柱３１が第２支持支柱３２に対して旋回することで、真空グリッパー３４の吸着面４３の外壁１２の垂直面や傾斜面に対する平行状態が保持される。また、第１支持支柱３１が第２支持支柱３２に旋回不能に固定されている場合は、継手４４によってグリッパー筐体４０がスライドロッド３７に対して旋回することで、真空グリッパー３４の吸着面４３の外壁１２の垂直面や傾斜面に対する平行状態が保持される。
【００６９】
作業用ゴンドラ１０Ａは、ビル１１（建造物）の外壁１２（外面）に吸着する真空装置（真空グリッパー３４）によってゴンドラ１０Ａが外壁１２に連結固定されるから、風や作業の影響でゴンドラ１０Ａが揺れ動く（揺動する）ことはなく、空中においてゴンドラ１０Ａが静止し、空中におけるゴンドラ１０Ａの姿勢が安定する。真空グリッパー３４でゴンドラ１０Ａとビル１１の外壁１２とを連結した状態で、作業者がゴンドラ１０Ａの前部１６からビル１１の外壁１２とゴンドラ１０Ａとの間のスペース１３に手を伸ばし、作業者が各種の電動工具や手動工具等を使用して外壁１２に対する各種工事を行う。
【００７０】
ビル１１の外壁１２の工事箇所における工事が完了した後、ペンダントスイッチ３０の吸着停止ボタンを押す（吸着ＯＦＦ）。吸着停止ボタンを押すと、真空ポンプ３５が停止（内蔵タイプでは圧縮空気の圧縮空気発生装置への給気が停止）し、外壁１２に対する真空グリッパー３４の吸着面４３（シーリングフォーム４１または真空パッド４２）の吸着が解除される。旋回ロッド３６に対するスライドロッド３７の固定を解除し、スライドロッド３７を旋回ロッド３６の前後方向後方へスライドさせて第１支持支柱３１を縮めた後、スライドストッパー（スライド固定機構）によってスライドロッド３７を旋回ロッド３６に固定する。ペンダントスイッチ３０の上昇ボタンまたは下降ボタンを押し、ゴンドラ１０Ａを次の工事箇所まで上昇または下降させ、吸着手段を利用してその工事箇所において作業を行う。
【００７１】
作業用ゴンドラ１０Ａは、ビル１１（建造物）の外壁１２（外面）に吸着する真空グリッパー３４によってゴンドラ１０Ａが外壁１２に連結固定されるから、ゴンドラ１０Ａが揺れ動く（揺動する）ことはなく、空中においてゴンドラ１０Ａを静止させることができ、空中におけるゴンドラ１０Ａの姿勢を安定させることができる。ゴンドラ１０Ａは、吸着装置６３によってそれを静止させた状態で作業者が所定の作業を行うことができるから、各種工事にともなう作業を正確かつ確実に行うことができる。ゴンドラ１０Ａは、それを使用した作業に危険が伴わず、作業を安全に進めることができるとともに、ゴンドラ１０Ａの揺れ（揺動）をその都度静止させる必要や作業者がゴンドラ１０Ａの静止状態を維持する操作を行う必要はなく、工事を迅速かつ効率的に進めることができる。
【００７２】
作業用ゴンドラ１０Ａは、真空ポンプ３５（内蔵タイプでは圧縮空気）によって真空グリッパー３４の吸着口４６（シーリングフォーム４１の吸着穴４５または真空パッド４２）が真空状態になるから、真空グリッパー３４が強い吸着力を発揮し、真空グリッパー３４によってゴンドラ１０Ａをビル１１の外壁１２に確実に固定することができる。
【００７３】
作業用ゴンドラ１０Ａは、複数の吸着穴４５を有するとともに柔軟性を有する所定面積かつ所定厚みのシーリングフォーム４１が真空グリッパー３４の吸着面４６に設置されている場合、ビル１１の外壁１２に凹凸面であったとしても、所定面積かつ所定厚みの柔軟なシーリングフォーム４１がその凹凸に追従してその厚みが変化（弾性変形）するとともに、凹凸面に複数の吸着穴４５が吸着するから、真空グリッパー３４が外壁１２の凹凸面に確実に吸着し、ゴンドラ１０Ａを外壁１２の凹凸面に確実に固定することができる。
【００７４】
作業用ゴンドラ１０Ａは、弾性変形可能な複数の真空パッド４２が真空グリッパー３４の吸着面４６に設置されている場合、ビル１１の外壁１２に凹凸面であったとしても、複数の真空パッド４２がその凹凸に追従して弾性変形し、凹凸面にそれら真空パッド４２が吸着するから、真空グリッパー３４が外壁１２の凹凸面に確実に吸着し、ゴンドラ１０Ａを外壁１２の凹凸面に確実に固定することができる。
【００７５】
図１０は、他の一例として示す作業用ゴンドラ１０Ｂの斜視図であり、図１１は、作業用ゴンドラ１０Ｂの正面図である。図１２は、作業用ゴンドラ１０Ｂの背面図であり、図１３は、伸長させる前のカバーシート５３、スライドレール５４、伸縮棒８６の部分拡大側面図である。図１４は、伸長させた後のカバーシート５３、スライドレール５４、伸縮棒８６の部分拡大側面図であり、図１５は、伸長させる前の落下防止プレート６４の部分拡大斜視図である。図１６は、伸長させた後の落下防止プレート６４の部分拡大斜視図である。
【００７６】
図１０では、ネットカバー６２の図示を一部省略している。図１０〜図１２では、真空ホース８９の図示を省略している。図１１では、落下防止プレート６４を伸長させた状態で示し、図１２では、落下防止プレート６４を垂下させた状態で示す。図１０では、上下方向を矢印Ａで示し、幅方向の矢印Ｂで示すとともに、前後方向を矢印Ｃで示す。図１３〜図１６では、前後方向前方を矢印Ｃ１で示し、前後方向後方を矢印Ｃ２で示す。
【００７７】
この作業用ゴンドラ１０Ｂが図１のそれと異なるところは、フロントフレーム４８およびリアフレーム４９を有する点、フロントフレーム４８にカバーシート５３が取り付けられている点、カバーシート５３を前後方向へ伸縮させるスライドレール５４が設置されている点、落下防止プレート６４および伸縮棒８６が設置されている点にある。ゴンドラ１０Ｂのその他の構成は図１のゴンドラ１０Ａのそれらと同一であるから、図１と同一の符号を付すとともに、図１のゴンドラ１０Ａの説明を援用することで、ゴンドラ１０Ｂのその他の構成の詳細な説明は省略する。
【００７８】
作業用ゴンドラ１０Ｂは、図１のそれと同様に、ビル１１（建造物）に対する各種工事を行う場合において、高所作業における安全な足場を確保するために使用される。ゴンドラ１０Ｂは、ビル１１の外壁１２の外側に配置され、昇降装置（吊り具、吊りワイヤーロープ１４、巻上機１５）によってビル１１の屋上から上下方向へ昇降可能に吊り下げられる。ゴンドラ１０Ｂは、前部１６および後部１７と、頂部１８および底部１９と、中央部２０および両側部２１とを有する。
【００７９】
作業用ゴンドラ１０Ｂは、底部１９に設置された所定面積の床材２２と、床材２２を支持する底フレーム２３（床材支持板）と、前部１６に設置されたフロントフレーム４８（前フレーム）と、後部１７に設置されたリアフレーム４９（後フレーム）と、床材２２の上方（頂部１８）に位置して幅方向へ延びるフロント手摺２４（前手摺）およびリア手摺２５（後手摺）と、それらフレーム４８，４９やフロント手摺２４、リア手摺２５に連結された複数本の補強支柱２６とから作られている。
【００８０】
床材２２や底フレーム２３、フロント手摺２４、リア手摺２５、補強支柱２６は、図１のゴンドラ１０Ａのそれらと同一である。底フレーム２３やフロントフレーム４８、リアフレーム４９、フロント手摺２４、リア手摺２５、補強支柱２６は、溶接によって連結されている。ゴンドラ１０Ｂには、床材２２や床フレーム２３、フロントフレーム４８、リアフレーム４９、フロント手摺２４、リア手摺２５、補強支柱２６に囲繞された作業空間が画成されている。なお、作業用ゴンドラ１０Ｂの形状は図示のそれに限定されず、あらゆる形状のゴンドラを使用することができる。
【００８１】
フロントフレーム４８は、ゴンドラ１０Ｂの頂部１８に位置して幅方向へ延びる上フロントロッド５０（上ロッド）（角柱パイプ）と、ゴンドラ１０Ｂの底部１９に位置して幅方向へ延びる下フロントロッド５１（下ロッド）（角柱パイプ）と、ゴンドラ１０Ｂの両側部２１に位置して上下フロントロッド５０，５１の間を上下方向へ延びる両側フロントロッド５２（両側ロッド）（角柱パイプ）とから形成されている。フロントフレーム４８（上下フロントロッド５０，５１および両側フロントロッド５２）には、カバーシート５３が取り付けられている。両側フロントロッド５２の上部および下部には、前後方向へ延びるスライドレール５４が設置されている。なお、上下フロントロッド５０，５１の両側部にスライドレール５４が設置されていてもよい。
【００８２】
リアフレーム４９は、フロントフレーム４８と略同形同大であり、ゴンドラ１０Ｂの頂部１８に位置して幅方向へ延びる上リアロッド５５（上ロッド）（角柱パイプ）と、ゴンドラ１０Ｂの底部１９に位置して幅方向へ延びる下リアロッド５６（下ロッド）（角柱パイプ）と、ゴンドラ１０Ｂの両側部２１に位置して上下リアロッド５５，５６の間を上下方向へ延びる両側リアロッド５７（両側ロッド）（角柱パイプ）とから形成されている。フロントフレーム４８やリアフレーム４９の上下方向の高さ寸法は、ゴンドラ１０Ｂ（床材）に乗った作業者の身長よりも高く、１７５ｃｍ〜２００ｃｍの範囲にあることが好ましい。
【００８３】
作業用ゴンドラ１０Ｂの前部１６には、フロントフレーム４８に囲繞された所定面積の前面開口５８が画成され、後部１７には、リアフレーム４９に囲繞された所定面積の後面開口５９が画成されている。頂部１８には、上フロントロッド５０と上リアロッド５５と補強支柱２６とに囲繞された所定面積の頂面開口６０が画成され、両側部２１には、両側フロントロッド５２と両側リアロッド５７と補強支柱２６とに囲繞された所定面積の両側開口６１が画成されている。後面開口５９全域と頂面開口６０全域と両側開口６１全域とにはネットカバー６２が設置され、それら開口５９〜６１がネットカバー６２によって包被されている。ネットカバー６２には、合成樹脂から作られた網ネットが使用されている。
【００８４】
作業用ゴンドラ１０Ｂの前部１６には、ビル１１の外壁１２に吸着しつつゴンドラ１０Ｂをビルに連結（固定）する（ゴンドラ１０Ｂを空中で静止させる）吸着装置６３が設置されている。吸着装置６３は、図１のゴンドラ１０Ａに設置されたそれと同一であり、ゴンドラ１０Ｂの前部１６から前後方向へ延びる２本の第１支持支柱３０（旋回ロッド３６およびスライドロッド３７）と、ゴンドラ１０Ｂの前部に設置（フロントフレーム４８の両側フロントロッド５２に設置）されて幅方向へ延びる１本の第２支持支柱３１と、第１支持支柱３０（スライドロッド３７）の先端部３３に取り付けられた２台の真空グリッパー３４と、それら真空グリッパー３４に接続された真空ポンプ３５（または圧縮空気発生装置）とから形成されている。真空グリッパー３４と真空ポンプ３５とは、真空ホース８９を介して接続されている。
【００８５】
なお、真空グリッパー３４の台数に制限はなく、ゴンドラ１０Ｂの大きさ（幅寸法や上下寸法）によってゴンドラ１０Ｂに１台の真空グリッパー３４または３台以上の真空グリッパー３４が設置される場合がある。第１および第２支持支柱３０，３１や真空グリッパー３４、真空ポンプ３５は図１のゴンドラ１０Ａのそれらと同一であるから、図１と同一の符号を付すとともに、図１の説明を援用することで、それらの説明は省略する。
【００８６】
フロント手摺２４には、幅方向へ延びる落下防止プレート６４が設置されている。底フレーム２３の各角部の下方には、キャスター２７が取り付けられている。ゴンドラ１０Ｂの両側部２１における床材２２には、吊りワイヤーロープ１４がつながる巻上機１５が設置固定され、ゴンドラ１０Ｂの一方の側部２１における床材２２には、ゴンドラ用制御盤２８が載置固定されている。ゴンドラ用制御盤２８にはビル１１の屋上から垂下する電源ケーブル２９が接続され、制御盤２８から電源ケーブル（図示せず）によって各巻上機１５に電力が供給される。補強支柱２６には、ケーブルを介してゴンドラ用制御盤２８につながるペンダントスイッチ３０が掛けられている。
【００８７】
カバーシート５３は、ゴンドラ１０Ｂのフロントフレーム４８全域（前面開口５８全域）を囲繞し、ゴンドラ１０Ａの頂部１８、底部１９、両側部２１に設置されている。カバーシート５３は、ゴンドラ１０Ａがビル１１の外壁１２の外側に吊り下げられたときに、フロントフレーム４８（前面開口５８）とビル１１の外壁１２との間のスペース１３に位置してフロントフレーム４８から前後方向へ延びる。カバーシート５３は、スペース１３に位置して前後方向へ並ぶ複数の蛇腹枠６５と、それら蛇腹枠６５に取り付けられて前後方向へ延びる蛇腹シート６６とから形成されている。
【００８８】
蛇腹枠６５は、フロントフレーム４８と略同形同大であり、合成樹脂または金属から作られている。蛇腹シート６６は、所定の強度を有する無色透明の合成樹脂シートから作られているが、所定の強度を有する有色透明または有色の合成樹脂シートやスクリーンメッシュ、ステンレスメッシュ、布地等から作られていてもよい。なお、カバーシート５３としては、蛇腹枠６５や蛇腹シート６６の他に、蛇腹に折り畳まれていない合成樹脂シートやスクリーンメッシュ、ステンレスメッシュ、布地等であってもよい。
【００８９】
蛇腹シート６６は、上下フロントロッド５０，５１と両側フロントロッド５２（フロントフレーム４８）とに固定された固定部６７と、固定部６７から前後方向前方へ延びる伸縮部６８とを有する。伸縮部６８は、それら蛇腹枠６５の間において前後方向へ蛇腹折りに折り畳まれ、スペース１３において前後方向へ伸縮可能である。伸縮部６８は、それを前後方向前方へ伸長しない非伸長状態と、それを前後方向前方へ伸長した伸長状態とを有する。
【００９０】
両側フロントロッド５２の上部および下部に位置する蛇腹シート６６の伸縮部６８には、所定の間隔（等間隔）で前後方向へ並ぶ複数の金属製のランナーリング６９が取り付けられている。蛇腹シート６６の伸縮部６８のビル１１の外壁１２に対向する前端部分７０（前端部）には、金属製または合成樹脂製の当接フレーム７１と、クッション性（柔軟性）を有する所定面積かつ所定厚みの当接部材７２が取り付けられている。当接部材７２は、ゴンドラ１０Ｂのフロントフレーム４８全域（前面開口５８全域）を囲繞し、ビル１１の外壁１２に面接触する。当接部材７２には、軟質ポリウレタンフォームやポリスチレンフォーム、ポリエチレンフォーム、ポリプロピレンフォーム、ＥＶＡ架橋発泡体等の発泡プラスチック、または、シリコーン樹脂を使用することができる。
【００９１】
スライドレール５４は、両側フロントロッド５２の上部および下部と両側リアロッド５７の上部および下部とに固定金具（図示せず）によって設置固定された固定レール７３と、固定レール７３から前後方向へスライド可能な第１移動レール７４ａと、第１移動レール７４ａから前後方向へスライド可能な第２移動レール７４ｂとから形成されている。第１および第２移動レール７４ａ，７４ｂは、蛇腹シート６６の伸縮部６８に取り付けられたランナーリング６９に挿通され、第２移動レール７４ｂの先端部が蛇腹シート６６の前端部分７０に固定金具（図示せず）によって固定されている。
【００９２】
それらスライドレール５４は、第１および第２移動レール７４ａ，７４ｂの伸長状態において第１移動レール７４ａを固定レール７３の所定の位置で固定し、第１移動レール７４ａｂのスライド（伸縮）を不能にするとともに、第１および第２移動レール７４ａ，７４ｂの縮んだ状態において第１および第２移動レール７４ａ，７４ｂを固定レール７３の所定の位置で固定し、第１および第２移動レール７４ａ，７４ｂのスライド（伸縮）を不能にするスライドストッパー（スライド固定機構）（図示せず）を備えている。
【００９３】
第１移動レール７４ａの先端部には、第１移動レール７４ａを前後方向へスライドさせる把持可能な取っ手７５が取り付けられているとともに、前後方向へ延びるコイルバネ７６が取り付けられている。コイルバネ７６は、その後端部７７が第１移動レール７４ａの先端部に設置されたバネ受け板７８に固定され、バネ受け板７８から前後方向前方へ延びている。第２移動レール７４ｂの先端部には、第２移動レール７４ｂを前後方向へスライドさせる把持可能な取っ手７９が取り付けられているとともに、コイルバネ７６の前端部８０が当接するバネ当接板８１が設置されている。
【００９４】
スライドレール５４では、第１移動レール７４ａの取っ手７５を把持して第１移動レール７４ａを前後方向前方へスライドさせると、コイルバネ７６の前端部８０が第２移動レール７４ｂの先端部に設置されたバネ当接板８１に当接し、コイルバネ７６に押圧されて第２移動レール７４ｂが前方へスライドし、図１４に示すように、蛇腹シート６６を前方へ伸長させることができ、蛇腹シート６６の前後方向の長さ寸法を長くすることができる。逆に、第２移動レール７４ｂの取っ手７９を把持して第２移動レール７４ｂを前後方向後方へスライドさせることで、図１３に示すように、蛇腹シート６６を後方へ縮めることができ、蛇腹シート６６の前後方向の長さ寸法を短くすることができる。
【００９５】
第１および第２移動レール７４ａ，７４ｂを前後方向前方へスライドさせた後、スライドストッパー（スライド固定機構）によって第１移動レール７４ａを固定レール７３に固定することで、蛇腹シート６６の伸縮部６８の前後方向前方へ伸長した状態を維持することができる。このとき、コイルバネ７６によって第２移動レール７４ｂが前後方向前方へ押圧（付勢）される。第１および第２移動レール７４ａ，７４ｂを前後方向後方へスライドさせた後、スライドストッパー（スライド固定機構）によって第１および第２移動レール７４ａ，７４ｂを固定レール７３に固定することで、蛇腹シート６６の伸縮部６８の前後方向後方へ縮んだ状態を維持することができる。第１および第２移動レール７４ａ，７４ｂを利用して蛇腹シート６６を前後方向へ伸縮させることで、蛇腹シート６６の長さ寸法をスペース１３の前後方向の距離に応じて調節することができる。
【００９６】
落下防止プレート６４は、旋回プレート８２と、スライドプレート８３とから形成されている。旋回プレート８２は、その基端部がフロント手摺２４に取り付けられた取付リング（旋回機構）（図示せず）または蝶番（旋回機構）（図示せず）に設置されている。旋回プレート８２は、取付リングまたは蝶番によってその基端部（フロント手摺２４）を中心に上下方向へ旋回可能である。
【００９７】
スライドプレート８３は、図１６示すように、前後方向へ延びるスライドレール８４によって旋回プレート８２に連結されている。スライドプレート８３は、スライドレール８４を介して前後方向へスライド可能であり、旋回プレート８２から前後方向へ伸縮可能である。スライドプレート８３のビル１１の外壁１２に対向する前端部には、クッション性（柔軟性）を有する所定面積かつ所定厚みの当接部材８５が取り付けられている。当接部材８５は、蛇腹シート６６の伸縮部６８の前端部分７０に取り付けられたそれと同一であり、ビル１１の外壁１２に面接触する。
【００９８】
落下防止プレート６４（旋回プレート８２およびスライドプレート８３）は、それが未使用の場合、フロント手摺２４に対して下方へ延びた垂下状態になっている。落下防止プレート６４（旋回プレート８２およびスライドプレート８３）では、それを垂下状態から上方へ１８０°の範囲まで旋回させることができる。落下防止プレート６４は、旋回プレート８２の旋回角度を所定の角度で固定し、プレート６４の旋回を不能にする旋回ストッパー（旋回（傾斜）固定機構）（図示せず）を備えている。落下防止プレート６４では、旋回プレート８２を旋回させることでプレート６４の旋回角度（傾斜角度）を調節することができるとともに、旋回プレート８２を上方へ旋回させ、落下防止プレート４０を上り勾配に傾斜させた後、旋回ストッパー（旋回（傾斜）固定機構）によって旋回プレート８２を固定することで、プレート６４の所定角度の上り勾配の傾斜状態を維持することができる。
【００９９】
落下防止プレート６４は、スライドプレート８３を旋回プレート８２の所定の位置で固定し、スライドプレート８３のスライド（伸縮）を不能にするスライドストッパー（スライド固定機構）（図示せず）を備えている。落下防止プレート６４では、スライドレール８４を利用してスライドプレート８３を前後方向前方へスライドさせることで、図１６に示すように、落下防止プレート６４（スライドプレート８３）を前後方向前方へ伸長させることができ、プレート６４の前後方向の長さ寸法を長くすることができる。逆に、スライドレール８４を利用してスライドプレート８３を前後方向後方へスライドさせることで、図１５に示すように、落下防止プレート６４（スライドプレート８３）を前後方向後方へ縮めることができ、プレート６４の前後方向の長さ寸法を短くすることができる。
【０１００】
スライドプレート８３を前後方向前方へスライドさせた後、スライドストッパー（スライド固定機構）によってスライドプレート８３を旋回プレート８２に固定することで、落下防止プレート６４（スライドプレート８３）が前後方向前方へ伸長した状態を維持することができ、スライドプレート８３を前後方向後方へスライドさせた後、スライドストッパー（スライド固定機構）によってスライドプレート８３を旋回プレート８２に固定することで、プレート６４（スライドプレート８３）が前後方向後方へ縮んだ状態を維持することができる。スライドプレート８３を利用して落下防止プレート６４を前後方向へ伸縮させることで、プレート６４の長さ寸法をスペース１３の前後方向の距離に応じて調節することができる。
【０１０１】
伸縮棒８６には、突っ張り棒が利用されているが、突っ張り棒の他に、アウターロッドとアウターロッドに伸縮可能に収容されたインナーロッドとから形成され、インナーロッドがアウターロッドに収容されたコイルバネによって前後方向前方へ付勢された伸縮棒８６を利用することができる。伸縮棒８６は、上フロントロッド５０と両側フロントロッド５２とが交差する第１角部と両側フロントロッド５２の上下方向中央部とに着脱可能に配置され、第１角部と中央部とから前後方向へ延びている。なお、伸縮棒８６が下フロントロッド５１と両側フロントロッド５２とが交差する第２角部に着脱可能に配置され、第２角部から前後方向へ延びていてもよい。
【０１０２】
それら伸縮棒８６は、その基端部８７が上リアロッド５５と両側リアロッド５７とに固定金具（図示せず）によって設置固定されている。伸縮棒８６は、それを前後方向前方へ伸長させたときに、図１４に示すように、その先端部８８が蛇腹シート６６の伸縮部６８の伸長時における前端部分７０に当接し、伸縮部６８の伸長時における前端部分７０のビル１１の外壁１２への当接状態を維持する。
【０１０３】
図１７は、ビル１１の外壁１２に連結される前の作業用ゴンドラ１０Ｂの側面図であり、図１８は、ビル１１の外壁１２に連結された後の作業用ゴンドラ１０Ｂの側面図である。図１７は、真空グリッパー３４を外壁１２に吸着させる以前の状態を示し、図１８は、真空グリッパー３４を外壁１２に吸着させた後の状態を示す。図１７，１８では、真空ホース８９の図示を省略している。作業用ゴンドラ１０Ｂを使用してビル１１の外壁１２に対する各種工事を行う手順の一例は、以下のとおりである。なお、第２支持支柱３２が固定金具によって既に両側フロントロッド５２に固定されているものとする。
【０１０４】
作業用ゴンドラ１０Ｂをビル１１の外壁１２の工事箇所まで上昇させた後、ペンダントスイッチ３０の停止ボタンを押してゴンドラ１０Ｂを停止させる。次に、第１支持支柱３１の旋回ロッド３６を第２支持支柱３２の幅方向へ移動させて第２支持支柱３２に対する第１支持支柱３１の位置を決めた後、第１支持支柱３１の旋回ロッド３６を第２支持支柱３２に固定する。第１支持支柱３１の旋回ロッド３６を第２支持支柱３２に固定した後、真空グリッパー３４の吸着口４６（シーリングフォーム４１または真空パッド４２）がビル１１の外壁１２に当接するまで、スライドロッド３７を旋回ロッド３６から前後方向前方へスライドさせて第１支持支柱３１を伸長させる。真空グリッパー３４の吸着口４６（シーリングフォーム４１または真空パッド４２）を外壁１２に当接させた位置でスライドストッパー（スライド固定機構）によってスライドロッド３７を旋回ロッド３６に固定し、第１支持支柱３１の長さ寸法をスペース１３の距離に合わせる。
【０１０５】
第１支持支柱３１の長さ寸法をスペース１３の距離に合わせた後、ペンダントスイッチ３０の吸着開始ボタンを押す（吸着ＯＮ）。吸着開始ボタンを押すと、真空ポンプ３５が起動（内蔵タイプでは圧縮空気を圧縮空気発生装置に給気）し、ポンプ３５（または圧縮空気発生装置）によって真空グリッパー３４の吸着口４６（シーリングフォーム４１の吸着穴４５または真空パッド４２）が真空状態になり、真空グリッパー３４の吸着面４３がビル１１の外壁１２に吸着し、吸着装置６３によってゴンドラ１０Ｂが外壁１２に連結（固定）される。
【０１０６】
なお、吸着装置６３によってゴンドラ１０Ｂがビル１１の外壁１２に連結固定された後、または、吸着装置６３によってゴンドラ１０Ｂが外壁１２に連固定結される前に、第１支持支柱３１を第２支持支柱３２に旋回不能に固定し、真空グリッパー３４のグリッパー筐体４０をスライドロッド３７に旋回不能に固定する場合がある。吸着手段によってゴンドラ１０Ｂがビル１１の外壁１２に連結された前に第１支持支柱３１を第２支持支柱３２に固定し、真空グリッパー３４のグリッパー筐体４０をスライドロッド３７に固定する場合は、外壁１２が垂直な垂直面である場合、または、外壁１２が傾斜した傾斜面である場合、継手３９を利用して第２支持支柱３２に対して第１支持支柱３１を旋回させるとともに、継手４４を利用してグリッパー筐体４０をスライドロッド３７に対して旋回させ、真空グリッパー３４の吸着面４３を外壁１２の垂直面や傾斜面に平行させた後、第１支持支柱３１を第２支持支柱３２に旋回不能に固定し、グリッパー筐体４０をスライドロッド３７に旋回不能に固定する。
【０１０７】
吸着装置６３によってゴンドラ１０Ａがビル１１の外壁１２に連結固定された後、または、吸着装置６３によってゴンドラ１０Ａが外壁１２に連結固定される前に、第１支持支柱３１を第２支持支柱３２に旋回不能に固定せず、継手３９によって第２支持支柱３２に対して第１支持支柱３１（旋回ロッド３６）を旋回可能にし、継手４４によって真空グリッパー３４のグリッパー筐体４０をスライドロッド３７に対して旋回可能にする場合がある。この場合、外壁１２が垂直な垂直面である場合、または、外壁１２が傾斜した傾斜面である場合、継手３９によって第１支持支柱３１が第２支持支柱３２に対して旋回するとともに、継手４４によってグリッパー筐体４０がスライドロッド３７に対して旋回することで、真空グリッパー３４の吸着面４３の外壁１２の垂直面や傾斜面に対する平行状態が保持される。
【０１０８】
グリッパー筐体４０がスライドロッド３７の先端部に旋回不能に固定されている場合は、継手３９によって第１支持支柱３１が第２支持支柱３２に対して旋回することで、真空グリッパー３４の吸着面４３の外壁１２の垂直面や傾斜面に対する平行状態が保持される。また、第１支持支柱３１が第２支持支柱３２に旋回不能に固定されている場合は、継手４４によってグリッパー筐体４０がスライドロッド３７に対して旋回することで、真空グリッパー３４の吸着面４３の外壁１２の垂直面や傾斜面に対する平行状態が保持される。
【０１０９】
次に、落下防止プレート６４の旋回プレート８２を把持してプレート６４を垂下状態から上方へ旋回させ、プレート４０を上り勾配の所定の角度（垂下状態から上り傾斜角度１８０°の範囲）に傾斜させた後、旋回ストッパー（旋回（傾斜）固定機構）によって旋回プレート８２の旋回を不能にし（固定し）、プレート４０の上り勾配の傾斜状態を維持する。
【０１１０】
落下防止プレート６４を所定角度の上り勾配に傾斜させた後、スライドレール８４によってスライドプレート８３をゴンドラ１０Ｂからビル１１の外壁１２に向かって前後方向前方へスライドさせ、プレート６４を前後方向前方へ伸長させる。スライドプレート８３の前端部に取り付けられた当接部材８５が外壁１２に当接するまでスライドプレート８３を前後方向前方へスライドさせ、当接部材８５が外壁１２に当接した後、スライドストッパー（スライド固定機構）によってスライドプレート８３を旋回プレート８２に固定する。スライドプレート８３の前端部に取り付けられた当接部材８５が外壁１２に面接触し、ゴンドラ１０Ｂのフロントフレーム４８と外壁１２との間のスペース１３が落下防止プレート６４によって塞がれる。落下防止プレート６４では、当接部材８５が外壁１２に面接触するから、プレート６４と外壁１２との間に隙間が生じることはない。
【０１１１】
第１移動レール７４ａの取っ手７５を把持して第１移動レール７４ａを前後方向前方へスライドさせ、それによってコイルバネ７６に押圧された第２移動レール７４ｂを前方へスライドさせ、蛇腹シート６６の伸縮部６８を前後方向前方へ伸長させ、当接部材７２がビル１１の外壁１２に当接した後、スライドストッパー（スライド固定機構）によって第１移動レール７４ａを固定レール７３に固定する。さらに、それら伸縮棒８６を前後方向前方へ伸長させ、その先端部８８を蛇腹シート６６の伸縮部６８の前端部分７０（ビル１１の外壁１２）に当接させ、伸縮棒８６によって蛇腹シート６６の伸縮部６８の前端部分７０の外壁１２への当接状態を維持する。
【０１１２】
第２移動レール７４ｂがコイルバネ７６によって前後方向前方へ付勢（押圧）され、それによって蛇腹シート６６の伸縮部６８の前端部分７０をビル１１の外壁１２に密着させることができるから、蛇腹シート６６の伸縮部６８の前端部分７０と外壁１２との間に隙間が生じることはない。蛇腹シート６６の伸縮部６８の前端部分７０に取り付けられた当接部材７２がビル１１の外壁１２に面接触し、ゴンドラ１０Ｂのフロントフレーム４８と外壁１２との間のスペース１３が蛇腹シート６６の伸縮部６８によって囲まれ、スペース１３が蛇腹シート６６の伸縮部６８によって塞がれる。また、伸縮棒８６によって蛇腹シート６６の伸縮部６８の前端部分７０のビル１１の外壁１２への当接状態を維持することができるから、蛇腹シート６６の伸縮部６８の前端部分７０と外壁１２との間に隙間が生じることはない。
【０１１３】
真空グリッパー３４でゴンドラ１０Ｂとビル１１の外壁１２とを連結固定し、落下防止プレート６４の前端部（当接部材８５）を外壁１２に当接させ、蛇腹シート６６の伸縮部６８の前端部分７０（当接部材７２）を外壁１２に当接させるとともに、伸縮棒８６の先端部８８を蛇腹シート６６の伸縮部６８の前端部分７０（ビル１１の外壁１２）に当接させた状態で、作業者がゴンドラ１０Ｂの前部１６（前面開口５８）から外壁１２とゴンドラ１０Ｂとの間のスペース１３に手を伸ばし、作業者が各種の電動工具や手動工具等を使用して外壁１２に対する各種工事を行う。
【０１１４】
作業用ゴンドラ１０Ｂは、ビル１１（建造物）の外壁１２（外面）に吸着する真空グリッパー３４によってゴンドラ１０Ｂが外壁１２に連結固定されるから、風や作業の影響でゴンドラ１０Ｂが揺れ動く（揺動する）ことはなく、空中においてゴンドラ１０Ｂが静止し、空中におけるゴンドラ１０Ｂの姿勢が安定する。たとえば、痛んだ外壁１２を補修する外壁補修工事を行う場合、痛んだ外壁１２をはつる（剥離する）が、外壁１２をはつると、コンクリートガラやモルタルガラ、タイルガラ等の多数の固形廃棄物が発生する。工事中に発生したそれら固形廃棄物がゴンドラ１０Ｂから四方に飛散したり、固形廃棄物がゴンドラ１０Ｂから落下すると、工事における安全性を確保することができない。
【０１１５】
しかし、このゴンドラ１０Ｂは、固形廃棄物が落下防止プレート６４の上に落下し、廃棄物が上り勾配に傾斜した落下防止プレート６４を伝ってゴンドラ１０Ｂ内（床材２２）に落下するから、廃棄物がゴンドラ１０Ｂ内に収容される。また、廃棄物が落下防止プレート６４からスペース１３に向かって飛散または落下したとしても、フロントフレーム４８の内側のスペース１３が蛇腹シート６６に囲まれ、そのスペース１３が蛇腹シート６６によって塞がれているから、落下防止プレート６４から飛散または落下した廃棄物が蛇腹シート６６（下フロントロッド５１に取り付けられた蛇腹シート６６）に捕集される。
【０１１６】
ビル１１の外壁１２の工事箇所における工事が完了した後、ペンダントスイッチ３０の吸着停止ボタンを押す（吸着ＯＦＦ）。吸着停止ボタンを押すと、真空ポンプ３５が停止（内蔵タイプでは圧縮空気の圧縮空気発生装置への給気が停止）し、外壁１２に対する真空グリッパー３４の吸着面４３（シーリングフォーム４１または真空パッド４２）の吸着が解除される。旋回ロッド３６に対するスライドロッド３７の固定を解除し、スライドロッド３７を旋回ロッド３６の前後方向後方へスライドさせて第１支持支柱３１を縮めた後、スライドストッパー（スライド固定機構）によってスライドロッド３７を旋回ロッド３６に固定する。伸縮棒８６を前後方向後方へ縮めてその先端部８８を蛇腹シート６６の伸縮部６８の前端部分７０（ビル１１の外壁１２）から後方へ離間させる。
【０１１７】
次に、スライドストッパーを解除して固定レール７３に対する第１移動レール７４ａの固定を解除し、第２移動レール７４ｂの取っ手７９を把持して第１および第２移動レール７４ａ，７４ｂを前後方向後方へスライドさせ、蛇腹シート６６の伸縮部６８を前後方向後方へ縮める。蛇腹シート６６の伸縮部６８を前後方向後方へ縮めると、下フロントロッド５１に取り付けられた蛇腹シート６６が地上に向かって垂下し、その部分の蛇腹シート６６が廃棄物収容袋を形成し、蛇腹シート６６によって形成された廃棄物収容袋に固形廃棄物が収容される。なお、工事が完了した後、蛇腹シート６６の伸縮部６８を前後方向後方へ縮める前に、蛇腹シート６６に捕集された廃棄物をゴンドラ１０Ｂの床材２２に回収してもよい。
【０１１８】
蛇腹シート６６の伸縮部６８を前後方向後方へ縮めた後、スライドストッパーによって第１および第２移動レール７４ａ，７４ｂを固定レール７３に固定し、蛇腹シート６６の伸縮部６８を縮めた状態を維持する。次に、スライドストッパーを解除して旋回プレート８２に対するスライドプレート８３の固定を解除し、スライドプレート８３を前後方向後方へスライドさせ、落下防止プレート６４を前後方向後方へ縮める。落下防止プレート６４を前後方向後方へ縮めた後、スライドストッパーによってスライドプレート８３を旋回プレート８２に固定し、落下防止プレート６４を縮めた状態を維持する。次に、旋回ストッパー（旋回（傾斜）固定機構）を解除し、落下防止プレート６４を上り勾配から下方へ旋回させて垂下状態にする。ペンダントスイッチ３０の下降ボタンを押し、ゴンドラ１０Ｂを地上に降ろした後、蛇腹シート６６によって形成された廃棄物収容袋に収容された固形廃棄物やゴンドラ１０Ｂ内（床材２２）に収容した固形廃棄物を廃棄処分する。廃棄物を廃棄処分した後、ペンダントスイッチ３０の上昇ボタンを押してゴンドラ１０Ｂを次の工事箇所まで上昇させ、その工事箇所において作業を行う。
【０１１９】
作業用ゴンドラ１０Ｂは、図１の作業用ゴンドラ１０Ａが有する効果に加え、以下の効果を有する。作業用ゴンドラ１０Ｂは、その頂底部１８，１９（フロントフレーム４８の上下フロントロッド５０，５１）と両側部２１（フロントフレーム４８の両側フロントロッド５２）とから前後方向へ延びる蛇腹シート６６がゴンドラ１０Ｂの頂底部１８，１９と両側部２１とを取り囲み、蛇腹シート６６の蛇腹折りされた前後方向へ伸縮する伸縮部６８によってゴンドラ１０Ｂの頂底部１８，１９および両側部２１とビル１１の外壁１２との間のスペース１３を塞ぐことができるから、外壁１２に対する工事中に発生したコンクリートガラやモルタルガラ、タイルガラ等の固形廃棄物を蛇腹シート６６で捕集することで廃棄物をゴンドラ１０Ｂ内に留めることができ、蛇腹シート６６によって廃棄物のゴンドラ１０Ｂから四方への飛散やゴンドラ１０Ｂからの廃棄物の落下を防ぐことができる。
【０１２０】
作業用ゴンドラ１０Ｂは、蛇腹シート６６の伸縮部６８を前後方向後方へ縮めると、下フロントロッド５１に取り付けられた蛇腹シート６６が地上に向かって垂下し、その部分の蛇腹シート６６が廃棄物収容袋を形成するから、蛇腹シート６６に捕集された固形廃棄物を蛇腹シート６６によって形成された廃棄物収容袋に収容することができ、廃棄物を蛇腹シート６６から床材２２に回収する手間や時間を省くことができる。
【０１２１】
作業用ゴンドラ１０Ｂは、フロント手摺２４とビル１１の外壁１２との間のスペース１３を落下防止プレート６４（旋回プレート８２およびスライドプレート８３）によって塞ぐことができるから、外壁１２に対する工事中に発生した固形廃棄物を落下防止プレート６４からゴンドラ１０Ｂ内に収容することができ、プレート６４によって廃棄物のゴンドラ１０Ｂから四方への飛散やゴンドラ１０Ｂからの廃棄物の落下を防ぐことができる。
【０１２２】
作業用ゴンドラ１０Ｂは、ビル１１の外壁１２に対する工事中に発生した固形廃棄物のゴンドラ１０Ｂから四方への飛散やゴンドラ１０Ｂからの廃棄物の落下を落下防止プレート６４や蛇腹シート６６によって防ぐことができるから、工事中におけるビル周辺の安全性を確保することができ、ビル周辺に防護ネットや仕切り板等の設置や警備員の配備等の各種の安全対策を施す必要はなく、安全対策にかかるコストや手間を省くことができ、ビル１１の外壁１２に対する各種工事を迅速かつ廉価に行うことができる。
【０１２３】
図１９は、他の一例として示す作業用ゴンドラ１０Ｃの斜視図であり、図２０は、作業用ゴンドラ１０Ｃの正面図である。図２１は、作業用ゴンドラ１０Ｃの背面図であり、図２２は、ビル１１の外壁１２に連結された後の作業用ゴンドラ１０Ｃの側面図である。図１９では、ネットカバー６２の図示を一部省略している。図１９〜図２２では、真空ホース８９の図示を省略している。図２０では、落下防止プレート６４を伸長させた状態で示し、図２１では、落下防止プレート６４を垂下させた状態で示す。図１９では、上下方向を矢印Ａで示し、幅方向の矢印Ｂで示すとともに、前後方向を矢印Ｃで示す。図２２では、前後方向前方を矢印Ｃ１で示し、前後方向後方を矢印Ｃ２で示す。
【０１２４】
この作業用ゴンドラ１０Ｃが図１０のそれと異なるところは、フロントフレーム４８が落下防止プレート６４の直下（フロント手摺り２４の直下）から上方に設置され、そのフロントフレーム４８にカバーシート５３が取り付けられている点にあり、このゴンドラ１０Ｃのその他の構成は図１０のゴンドラ１０Ｂのそれらと同一であるから、図１０と同一の符号を付すとともに、図１０のゴンドラ１０Ｂの説明を援用することで、ゴンドラ１０Ｃのその他の構成の詳細な説明は省略する。
【０１２５】
作業用ゴンドラ１０Ｃは、図１や図１０のそれらと同様に、ビル１２（建造物）に対する各種工事を行う場合において、高所作業における安全な足場を確保するために使用される。ゴンドラ１０Ｃは、ビル１１の外壁１２の外側に配置され、昇降装置（吊り具、吊りワイヤーロープ１４、巻上機１５）によってビル１１の屋上から上下方向へ昇降可能に吊り下げられる。ゴンドラ１０Ｃは、前部１６および後部１７と、頂部１８および底部１９と、中央部２０および両側部２１とを有する。
【０１２６】
作業用ゴンドラ１０Ｃは、底部１９に設置された所定面積の床材２２と、床材２２を支持する底フレーム２３（床材支持板）と、前部１６に設置されたフロントフレーム４８（前フレーム）と、後部１７に設置されたリアフレーム４９（後フレーム）と、床材２２の上方に位置して幅方向へ延びるフロント手摺２４（前手摺）およびリア手摺２５（後手摺）と、それらフレーム４８，４９やフロント手摺２４、リア手摺２５に連結された複数本の補強支柱２６とから作られている。
【０１２７】
床材２２や底フレーム２３、リアフレーム４９、フロント手摺２４、リア手摺２５、補強支柱２６は、図１０のゴンドラ１０Ｂのそれらと同一である。底フレーム２３やフロントフレーム４８、リアフレーム４９、フロント手摺２４、リア手摺２５、補強支柱２６は、溶接によって連結されている。ゴンドラ１０Ｃには、床材２２や床フレーム２３、フロントフレーム４８、リアフレーム４９、フロント手摺２４、リア手摺２５、補強支柱２６に囲繞された作業空間が画成されている。
【０１２８】
フロントフレーム４８は、ゴンドラ１０Ｃの頂部１８に位置して幅方向へ延びる上フロントロッド５０（上ロッド）と、ゴンドラ１０Ｃの中央部２０であってフロント手摺り２４の直下（落下防止プレート６４の直下）に位置して幅方向へ延びる下フロントロッド５１（下ロッド）と、ゴンドラ１０Ｃの両側部２１に位置して上下フロントロッド５０，５１の間を上下方向へ延びる両側フロントロッド５２（両側ロッド）とから形成されている。フロントフレーム４８は、フロント手摺り２４の直下（ゴンドラ１０Ｃの中央部２０）から上方に位置する前面開口５８を囲繞している。
【０１２９】
両側フロントロッド５２の上部および中央部には、前後方向へ延びるスライドレール５４が設置されている。なお、上下フロントロッド５０，５１の両側部にスライドレール５４が設置されていてもよい。フロント手摺２４には、当接部材８５が取り付けられた幅方向へ延びる落下防止プレート６４が設置されている。上フロントロッド５０と両側フロントロッド５２とが交差する第１角部と両側フロントロッド５２の上下方向中央部とには、伸縮棒８８が着脱可能に設置され、伸縮棒８８が第１角部と中央部とから前後方向へ延びている。スライドレール５４や落下防止プレート６４、伸縮棒８８は、図１０のゴンドラ１０Ｂのそれらと同一である。
【０１３０】
フロントフレーム４８（上下フロントロッド５０，５１および両側フロントロッド５２）には、カバーシート５３が取り付けられている。カバーシート５３は、図１０のゴンドラ１０Ｂのそれと同様に、スペース１３に位置して前後方向へ並ぶ複数の蛇腹枠６５と、それら蛇腹枠６５に取り付けられて前後方向へ延びる蛇腹シート６６とから形成されている。蛇腹シート６６は、ゴンドラ１０Ｂの前面開口５８のうちのフロント手摺２４の直下（ゴンドラ１０Ｂの中央部２０）から頂部１８までを囲繞し、フロントフレーム４８から前後方向へ延びている。
【０１３１】
蛇腹シート６６は、上下フロントロッド５０，５２と両側フロントロッド５２（フロントフレーム２２）とに固定された固定部６７と、固定部６７から前後方向前方へ延びる伸縮部６８とを有する。伸縮部６８は、それら蛇腹枠６５の間において前後方向へ蛇腹折りに折り畳まれている。蛇腹シート６６の伸縮部６８の前端部分７０（前端部）には、金属製または合成樹脂製の当接フレーム７１と、クッション性（柔軟性）を有する所定面積かつ所定厚みの当接部材７２とが取り付けられている。
【０１３２】
後面開口５９全域と頂面開口６０全域と両側開口６１全域とにはネットカバー６２が設置され、それら開口５９〜６１がネットカバー６２によって包被されている。ネットカバー６２は、図１０のゴンドラ１０Ｂのそれと同一である。ゴンドラ１０Ｃの前部１６には、ビル１１の外壁１２に吸着しつつゴンドラ１０Ｃを外壁１２に連結（固定）する（ゴンドラ１０Ｃを空中で静止させる）吸着装置６３が設置されている。吸着装置６３は、図１や図１０のゴンドラ１０Ａ，１０Ｂに設置されたそれと同一である。
【０１３３】
底フレーム２３の各角部の下方には、キャスター２７が取り付けられている。ゴンドラ１０Ｃの両側部２１における床材２２には、吊りワイヤーロープ１４がつながる巻上機１５が設置固定され、ゴンドラ１０Ｃの一方の側部２１における床材２２には、ゴンドラ用制御盤２８が載置固定されている。ゴンドラ用制御盤２８にはビル１１の屋上から垂下する電源ケーブル２９が接続され、制御盤２８から電源ケーブル（図示せず）によって各巻上機１５に電力が供給される。補強支柱２６には、ケーブルを介してゴンドラ用制御盤２８につながるペンダントスイッチ３０が掛けられている。作業用ゴンドラ１０Ｃを使用してビル１１の外壁１２に対する各種工事を行う手順は、ゴンドラ１０Ｂを使用してビル１１の外壁１２に対する各種工事を行う手順と同一であるから、その説明は省略する。
【０１３４】
作業用ゴンドラ１０Ｃは、図１０のそれと同様に、図１の作業用ゴンドラ１０Ａが有する効果に加え、以下の効果を有する。作業用ゴンドラ１０Ｃは、蛇腹シート６６がゴンドラ１０Ｃの頂部１８と中央部２０と両側部２１とを取り囲み、蛇腹シート６６の蛇腹折りされた前後方向へ伸縮する伸縮部６８によってスペース１３を塞ぐことができるから、外壁１２に対する工事中に発生したコンクリートガラやモルタルガラ、タイルガラ等の固形廃棄物を蛇腹シート６６で捕集することで廃棄物をゴンドラ１０Ｃ内に留めることができ、蛇腹シート６６によって廃棄物のゴンドラ１０Ｃから四方への飛散やゴンドラ１０Ｃからの廃棄物の落下を防ぐことができる。なお、蛇腹シート６６の伸縮部６８を前後方向後方へ縮めると、下フロントロッド５１に取り付けられた蛇腹シート６６が地上に向かって垂下し、その部分の蛇腹シート６６が廃棄物収容袋を形成するから、蛇腹シート６６に捕集された固形廃棄物を蛇腹シート６６によって形成された廃棄物収容袋に収容することができ、廃棄物を蛇腹シート６６から床材２２に回収する手間や時間を省くことができる。
【０１３５】
作業用ゴンドラ１０Ｃは、フロント手摺２４とビル１１の外壁２４との間のスペース１３を落下防止プレート６４によって塞ぐことができるから、外壁１２に対する工事中に発生した固形廃棄物を落下防止プレート６４からゴンドラ１０Ｃ内に収容することができ、プレート６４によって廃棄物のゴンドラ１０Ｃから四方への飛散やゴンドラ１０Ｃからの廃棄物の落下を防ぐことができる。ゴンドラ１０Ｃは、ビル１１の外壁１２に対する工事中に発生した固形廃棄物のゴンドラ１０Ｃから四方への飛散やゴンドラ１０Ｂからの廃棄物の落下を蛇腹シート６６や落下防止プレート６４によって防ぐことができるから、工事中におけるビル周辺の安全性を確保することができ、ビル周辺に防護ネットや仕切り板等の設置や警備員の配備等の各種の安全対策を施す必要はなく、安全対策にかかるコストや手間を省くことができ、ビル１１の外壁１２に対する各種工事を迅速かつ廉価に行うことができる。
【０１３６】
それらゴンドラ１０Ａ〜１０Ｃでは、蛇腹シート６６がゴンドラ１０Ａ〜１０Ｃの頂部１８に設置されておらず、ゴンドラ１０Ａ〜１０Ｃの底部１９または中央部２０、両側部２１のみに設置されていてもよい。この場合、フロントフレーム４８は、ゴンドラ１０Ａ〜１０Ｃの底部１９または中央部２０に位置して幅方向へ延びる下フロントロッド５１（下ロッド）と、ゴンドラ１０Ａ〜１０Ｃの両側部２１に位置して上下方向へ延びる両側フロントロッド５２（両側ロッド）とから形成される。
【符号の説明】
【０１３７】
１０Ａ  作業用ゴンドラ
１０Ｂ  作業用ゴンドラ
１０Ｃ  作業用ゴンドラ
１１    ビル（建造物）
１２    外壁（外面）
１３    スペース
１４    吊りワイヤーロープ
１５    巻上機
１６    前部
１７    後部
１８    頂部
１９    底部
２０    中央部
２１    両側部
２２    床材
２３    底フレーム
２４    フロント手摺
２５    リア手摺
２６    補強支柱
２７    キャスター
２８    ゴンドラ用制御盤
２９    電源ケーブル
３０    ペンダントスイッチ
３１    第１支持支柱
３２    第２支持支柱
３３    先端部
３４    真空グリッパー
３５    真空ポンプ
３６    旋回ロッド
３７    スライドロッド
３８    基端部
３９    継手
４０    グリッパー筐体
４１    シーリングフォーム
４２    真空パッド
４３    吸着面
４４    継手
４５    吸着穴
４６    吸着口
４７    ネットカバー
４８    フロントフレーム
４９    リアフレーム
５０    上フロントロッド（上ロッド）
５１    下フロントロッド（下ロッド）
５２    両側フロントロッド（両側ロッド）
５３    カバーシート
５４    スライドレール
５５    上リアロッド
５６    下リアロッド
５７    両側リアロッド
５８    前面開口
５９    後面開口
６０    頂面開口
６１    両側開口
６２    ネットカバー
６３    吸着装置
６４    落下防止プレート
６５    蛇腹枠
６６    蛇腹シート
６７    固定部
６８    伸縮部
６９    ランナーリング
７０    前端部分
７１    当接フレーム
７２    当接部材
７３    固定レール
７４    移動レール
７４ａ  第１移動レール
７４ｂ  第２移動レール
７５    取っ手
７６    コイルバネ
７７    後端部
７８    バネ受け板
７９    取っ手
８０    前端部
８１    バネ当接板
８２    旋回プレート
８３    スライドプレート
８４    スライドレール
８５    当接部材
８６    伸縮棒
８７    基端部
８８    先端部
８９    真空ホース
【図１】
2016211222.tif 000003
【図２】
2016211222.tif 000004
【図３】
2016211222.tif 000005
【図４】
2016211222.tif 000006
【図５】
2016211222.tif 000007
【図６】
2016211222.tif 000008
【図７】
2016211222.tif 000009
【図８】
2016211222.tif 000010
【図９】
2016211222.tif 000011
【図１０】
2016211222.tif 000012
【図１１】
2016211222.tif 000013
【図１２】
2016211222.tif 000014
【図１３】
2016211222.tif 000015
【図１４】
2016211222.tif 000016
【図１５】
2016211222.tif 000017
【図１６】
2016211222.tif 000018
【図１７】
2016211222.tif 000019
【図１８】
2016211222.tif 000020
【図１９】
2016211222.tif 000021
【図２０】
2016211222.tif 000022
【図２１】
2016211222.tif 000023
【図２２】
2016211222.tif 000024